(57)【要約】  光ピックアップ装置は、光ビームを集光して光ディスクに照射する一つの対物レンズ（１）と、対物レンズ（１）を駆動する対物レンズアクチュエータ（２９）とを備え、対物レンズアクチュエータ（２９）は、対物レンズ（１）を保持するレンズホルダ（２）を備え、レンズホルダ（２）と対物レンズ（１）との間に二つの空隙（Ｇａ、Ｇｂ）が形成され、対物レンズ（１）の中心を原点、トラッキング方向をｙ軸、及び光ディスクのトラックの接線方向をｘ軸とするｘｙ平面において、空隙（Ｇａ）は、少なくともｘｙ平面の第１象限内に位置し、空隙（Ｇｂ）は、少なくともｘｙ平面の第３象限内に位置する。
2013046621.tif 000002
【特許請求の範囲】
【請求項１】
所定の波長の光ビームを出射する光源と、
前記光源からの光ビームを集光して円盤状記録媒体に照射する一つの対物レンズと、
前記対物レンズを駆動する対物レンズアクチュエータと、
前記円盤状記録媒体の記録面により反射された光ビームを前記対物レンズを介して受光して電気信号に変換する光検出器と、
前記光源、前記対物レンズアクチュエータ及び前記光検出器を保持する光学ベースとを備え、
前記対物レンズアクチュエータは、
前記対物レンズを保持するレンズホルダと、
前記円盤状記録媒体に対して垂直な方向であるフォーカシング方向と、前記円盤状記録媒体の半径方向であるトラッキング方向とに移動可能に前記レンズホルダを支持する支持機構と、
前記レンズホルダに固定され、前記レンズホルダを前記フォーカシング方向に駆動するフォーカシングコイルと、
前記レンズホルダに固定され、前記レンズホルダを前記トラッキング方向に駆動するトラッキングコイルと、
前記支持機構の一端を保持するアクチュエータベースと、
前記アクチュエータベースに保持され、前記フォーカシングコイル及び／又は前記トラッキングコイルに対向する位置に配置されて前記フォーカシングコイル及び／又は前記トラッキングコイルに磁界を付与するマグネットとを備え、
前記レンズホルダと前記対物レンズとの間に第１の空隙及び第２の空隙が形成され、
前記円盤状記録媒体は時計周りに回転し、前記対物レンズの中心を原点とし、前記トラッキング方向をｙ軸とし、前記円盤状記録媒体のトラックの接線方向をｘ軸とするｘｙ平面において、前記ｙ軸は前記円盤状記録媒体の中心側を正方向とし、前記ｘ軸は前記ｙ軸の正方向を時計回りに９０°回転した方向を正方向とし、前記ｘｙ平面を前記ｘ軸及び前記ｙ軸によって分割した４つの領域を反時計回りに第１象限、第２象限、第３象限及び第４象限としたとき、前記第１の空隙は、少なくとも前記第１象限内に位置し、前記第２の空隙は、少なくとも前記第３象限内に位置することを特徴とする光ピックアップ装置。
【請求項２】
前記第１の空隙は、前記ｘ軸の正方向の部分を反時計回りに３０°回転させた直線を中心として±３０°以上±６０°以下の範囲内に位置し、前記第２の空隙は、前記ｘ軸の正方向の部分を反時計回りに２１０°回転させた直線を中心として±３０°以上±６０°以下の範囲内に位置することを特徴とする請求項１に記載の光ピックアップ装置。
【請求項３】
前記対物レンズは、前記レンズホルダの第１の固定部及び第２の固定部に固定され、
前記第１の固定部は、少なくとも前記第２象限内に位置し、前記第２の固定部は、少なくとも前記第４象限内に位置することを特徴とする請求項１又は２に記載の光ピックアップ装置。
【請求項４】
前記レンズホルダは、前記対物レンズと前記円盤状記録媒体との接触を防止する第１のレンズプロテクタ及び第２のレンズプロテクタを有し、
前記第１のレンズプロテクタは、前記第１象限内に位置し、前記第２のレンズプロテクタは、前記第３象限内に位置することを特徴とする請求項３に記載の光ピックアップ装置。
【請求項５】
前記トラッキングコイルは、
前記レンズホルダの前記ｘ軸に垂直な一方の側面の中心に固定される第１のトラッキングコイルと、
前記レンズホルダの前記ｘ軸に垂直な他方の側面の中心に固定される第２のトラッキングコイルとを含むことを特徴とする請求項１〜４のいずれかに記載の光ピックアップ装置。
【請求項６】
前記フォーカシングコイルは、
前記レンズホルダの前記ｘ軸に垂直な一方の側面のうち前記第１象限内に位置する部分に固定される第１のフォーカシングコイルと、
前記レンズホルダの前記ｘ軸に垂直な他方の側面のうち前記第３象限内に位置する部分に固定される第２のフォーカシングコイルとを含むことを特徴とする請求項１〜５のいずれかに記載の光ピックアップ装置。
【請求項７】
前記マグネットは、
前記ｘ軸上に着磁境界面を有し、前記第１のトラッキングコイルの前記対物レンズの光軸と略平行な二つの辺に逆向きの磁界を付与し、かつ前記第１のフォーカシングコイルの前記ｙ軸と略平行な二つの辺のうち前記円盤状記録媒体に近い辺に磁界を付与する第１のマグネットと、
前記ｘ軸上に着磁境界面を有し、前記第２のトラッキングコイルの前記対物レンズの光軸と略平行な二つの辺に逆向きの磁界を付与し、かつ前記第２のフォーカシングコイルの前記ｙ軸と略平行な二つの辺のうち前記円盤状記録媒体に近い辺に磁界を付与する第２のマグネットとを含む請求項６に記載の光ピックアップ装置。
【請求項８】
前記フォーカシングコイルは、
前記レンズホルダの前記ｘ軸に垂直な一方の側面のうち前記第１象限内に位置する部分に固定される第１のフォーカシングコイルと、
前記レンズホルダの前記ｘ軸に垂直な他方の側面のうち前記第２象限内に位置する部分に固定される第２のフォーカシングコイルと、
前記レンズホルダの前記他方の側面のうち前記第３象限内に位置する部分に固定される第３のフォーカシングコイルと、
前記レンズホルダの前記一方の側面のうち前記第４象限に位置する部分に固定される第４のフォーカシングコイルとを含むことを特徴とする請求項１〜５のいずれかに記載の光ピックアップ装置。
【請求項９】
前記マグネットは、
前記ｘ軸上に着磁境界線を有し、前記第１のトラッキングコイルの前記対物レンズの光軸と略平行な二つの辺に逆向きの磁界を付与し、かつ前記第１のフォーカシングコイルの前記ｙ軸と略平行な二つの辺のうち前記円盤状記録媒体に近い辺及び前記第４のフォーカシングコイルの前記ｙ軸と略平行な二つの辺のうち前記円盤状記録媒体に近い辺に磁界を付与する第１のマグネットと、
前記ｘ軸上に着磁境界線を有し、前記第２のトラッキングコイルの前記対物レンズの光軸と略平行な二つの辺に逆向きの磁界を付与し、かつ前記第２のフォーカシングコイルの前記ｙ軸と略平行な二つの辺のうち前記円盤状記録媒体に近い辺及び前記第３のフォーカシングコイルの前記ｙ軸と略平行な二つの辺のうち前記円盤状記録媒体に近い辺に磁界を付与する第２のマグネットとを含む請求項８に記載の光ピックアップ装置。
【請求項１０】
前記対物レンズは、樹脂成形によって形成される樹脂レンズを含むことを特徴とする請求項１〜９のいずれかに記載の光ピックアップ装置。
【請求項１１】
前記対物レンズは、少なくとも略４０５ｎｍの波長を含む複数の波長に対応した複数波長互換対物レンズであることを特徴とする請求項１〜１０のいずれかに記載の光ピックアップ装置。
【請求項１２】
前記複数波長互換対物レンズは、略４０５ｎｍの波長に加えて、略６６０ｎｍの波長及び略７８０ｎｍの波長の３種類の波長に対応した３波長互換対物レンズであることを特徴とする請求項１１に記載の光ピックアップ装置。
【請求項１３】
前記光学ベースの下面から前記円盤状記録媒体までの寸法は、１１ｍｍ以下であることを特徴とする請求項１〜１２のいずれかに記載の光ピックアップ装置。
【請求項１４】
請求項１〜１３のいずれかに記載の光ピックアップ装置と、
前記円盤状記録媒体を回転するモータと、
前記光ピックアップ装置から得られる信号に基づいて、前記モータ及び前記光ピックアップ装置を制御する制御部とを備えることを特徴とする光情報装置。
【請求項１５】
請求項１４に記載の光情報装置と、
前記光情報装置に記録する情報及び／又は前記光情報装置から再生された情報を処理する情報処理部とを備えることを特徴とする情報処理装置。
【発明の詳細な説明】
【技術分野】
【０００１】
本発明は、円盤状記録媒体に対して情報を記録及び／又は再生する光ピックアップ装置、該光ピックアップ装置を用いた光情報装置、並びに該光情報装置を用いた情報処理装置に関するものである。
【背景技術】
【０００２】
従来の円盤状記録媒体である光ディスクとして、ＣＤ（Ｃｏｍｐａｃｔ  Ｄｉｓｃ）及びＤＶＤ（Ｄｉｇｉｔａｌ  Ｖｅｒｓａｔｉｌｅ  Ｄｉｓｃ）に加えて、近年では、ＢＤ（Ｂｌｕ−ｒａｙ  Ｄｉｓｃ）に対して情報の再生及び記録を行うための各種の光ピックアップ装置が、開発及び製造され、一般に普及している。【０００３】
ＣＤやＤＶＤに用いられる光源の波長が略７８０ｎｍ、略６６０ｎｍであるのに対して、ＢＤは、光源として波長４０５ｎｍ前後のいわゆる青紫光のレーザ光源を用いた高密度及び高容量タイプの光ディスクである。このような光ディスクの場合、より高密度の記録再生を行うために、対物レンズのＮＡをＤＶＤ用の対物レンズのＮＡよりもさらに大きくする必要がある。このため、より波面収差の少ない高性能の対物レンズが求められており、光ピックアップ装置に対する要求スペックは、益々厳しいものとなっている。【０００４】
また、上述のような高密度及び高容量タイプの光ピックアップ装置では、高精度のフォーカシングサーボ及びトラッキングサーボが必要となり、より大きなサーボゲインが要求されることから、対物レンズ駆動系の発熱量も増大すると考えられる。この観点から、光ピックアップ装置の温度特性の向上が求められている。【０００５】
特に、高密度及び高容量のＢＤと、ＤＶＤ等の旧来型光ディスクとの複数規格の併用を可能にする互換型の光ピックアップ装置では、対物レンズの球面収差及び非点収差等の温度補償も容易でなく、温度変化に伴う球面収差及び非点収差等の変化が少ない、すなわち良好な温度特性の光ピックアップ装置に対する要求が高まっている。【０００６】
また、一方で光ピックアップ装置のコストダウンは常に求められており、ＢＤを含めたＤＶＤ及びＣＤの互換ピックアップ装置を１つの対物レンズによって実現する複数波長互換対物レンズへの要望も高まっている。このような要望を実現するために、レンズ表面に微細な回折格子を形成した対物レンズの提案がなされており、このような互換対物レンズの実現には、レンズ材料の樹脂化は必須となる。したがって、対物レンズの樹脂化への対応という観点においても、良好な温度特性を実現する光ピックアップ装置は益々必要とされている。【０００７】
ここで、従来の光ピックアップ装置としては、レンズホルダの端部に搭載した対物レンズから発熱源である駆動用コイルまでの距離を長くとった構成となる対物レンズアクチュエータを用いたものがある（例えば、特許文献１参照）。図１８は、特許文献１に記載された従来の光ピックアップ装置の対物レンズアクチュエータの構成を示す斜視図である。【０００８】
図１８において、対物レンズ１０１は、レンズホルダ１０２の一端に保持されており、フォーカシングコイル１０４Ｒ、１０４Ｌ及びトラッキングコイル１０５Ｒ、１０５Ｌは、レンズホルダ１０２の他端部側に構成された貫通孔の内側に固着され、これらの部材から可動部１１５が構成される。弾性変形可能な直線状の６本の支持部材１０３ａ〜１０３ｅの一端がレンズホルダ１０２の外端部に固定され、かつ他端が固定部１１３に固定され、固定部１１３は基台１１４に固定される。可動部１１５は、フォーカシング方向Ｆｏ及びトラッキング方向Ｔｒへ並進可能に、かつラジアルチルティング方向Ｔｉへ回転可能に固定部１１３に弾性支持される。なお、矢印Ｓは、図示しない光ディスクの円周方向である。【０００９】
ヨーク１０９は、図中の破線で示した位置に配置され、磁石１１０がヨーク１０６に、磁石１１１がヨーク１０７に、磁石１１２がヨーク１０８にそれぞれ取り付けられ、磁石１１０と磁石１１２、磁石１１１と磁石１１２がそれぞれ対向して配置されている。磁石１１０と磁石１１２との間の磁気ギャップ中にフォーカシングコイル１０４Ｒ及びトラッキングコイル１０５Ｒが配置され、磁石１１１と磁石１１２との間の磁気ギャップ中にフォーカシングコイル１０４Ｌ及びトラッキングコイル１０５Ｌが配置される。対物レンズ１０１は、フォーカシングコイル１０４Ｒ、１０４Ｌに通電することによりフォーカシング方向Ｆｏに、トラッキングコイル１０５Ｒ、１０５Ｌに通電することによりトラッキング方向Ｔｒにそれぞれ駆動される。【００１０】
したがって、発熱源であるフォーカシングコイル１０４Ｒ、１０４Ｌ及びトラッキングコイル１０５Ｒ、１０５Ｌと、対物レンズ１０１との間には、磁石１１２及びヨーク１０８が配置される。このように、発熱源と対物レンズ１０１とが空間的に互いに離れた位置に配置されるので、フォーカシングコイル１０４Ｒ、１０４Ｌ及びトラッキングコイル１０５Ｒ、１０５Ｌで発生した熱量がレンズホルダ１０２を介した熱伝導によって対物レンズ１０１に流入するが、その熱量は、非常に小さい。よって、対物レンズ１０１の温度上昇は、小さくかつ温度変化も小さく抑えられている。【００１１】
また、レンズホルダの互いに対向する二つの側面に配置された駆動コイルの間に二つの対物レンズを配置して、対物レンズから駆動点までの距離を短くすることにより、対物レンズアクチュエータの必要な高次共振周波数を満足させ、加えてレンズホルダのレンズ接着部の位置を最適化することにより、熱伝導による熱量の流入を平準化するという光ピックアップ装置がある（特許文献２参照）。図１９は、特許文献２に記載された従来の光ピックアップ装置の対物レンズアクチュエータの構成を示す上面図である。【００１２】
図１９において、レンズホルダ１２１は、サスペンションホルダ１２２に対して所定の範囲で変位可能に支持され、ＢＤ用対物レンズ１３３及びＤＶＤ/ＣＤ用対物レンズ１３４は、トラッキング方向Ｔｒに垂直な方向である接線方向Ｓに沿ってレンズホルダ１２１に配置されている。ＢＤ用対物レンズ１３３は、レンズホルダ１２１の対物レンズ支持面１３０ａ、１３０ｂ、１３０ｃによって支持され、接着部１３１ａ、１３１ｂ、１３１ｃに注入された接着剤によって固定されている。また、ＤＶＤ/ＣＤ用対物レンズ１３４は、レンズホルダ１２１の対物レンズ支持面１３５に支持され、接着部１３２ａ、１３２ｂ、１３２ｃに注入された接着剤によって固定されている。接着剤によって固定された箇所では、レンズホルダ１２１の接着部１３１ａ、１３１ｂ、１３１ｃと、ＢＤ用対物レンズ１３３との密着度が高く、レンズホルダ１２１からＢＤ用対物レンズ１３３へ熱量が最も流入し易くなる。【００１３】
フォーカシングコイル１２３、１２４、トラッキングコイル１２５、１２６、及びチルティングコイル１２７、１２８は、レンズホルダ１２１の接線方向Ｓに沿って対向する両側面に各々１個ずつ固着されている。【００１４】
ここで、接着部１３１ａ、１３１ｂ、１３１ｃは、以下のように配置されている。接着部１３１ａは、フォーカシングコイル１２３とチルティングコイル１２７との組の近傍を避け、トラッキングコイル１２５にも近付きすぎない位置に配置される。すなわち、接着部１３１ａは、フォーカシングコイル１２３とチルティングコイルとの組よりもトラッキングコイル１２５に近い位置に配置されている。【００１５】
このような構成により、フォーカシングコイル１２３、１２４、トラッキングコイル１２５、１２６、及びチルティングコイル１２７、１２８に電流を流し、レンズホルダ１２１を駆動させる際に、温度が上昇しやすいフォーカシングコイル１２３とチルティングコイル１２７との組と、それに比べて温度上昇の小さいトラッキングコイル１２５との間で、温度の低い位置に接着部１３１ａを配置することができる。【００１６】
また、接着部１３１ｂ、１３１ｃは、レンズホルダ１２１上の接着部１３１ａの位置と温度がほぼ等しい位置に配置される。これにより、温度がほぼ等しい位置に設けられた接着部１３１ａ、１３１ｂ、１３１ｃから対物レンズ１３３に流入する熱量もそれぞれ略一定となり、対物レンズ１３３の変形に偏りが生じにくくなり、対物レンズ１３３を透過する光の非点収差の発生を抑制することができる。【００１７】
しかしながら、図１８に示す従来の対物レンズアクチュエータでは、対物レンズ１０１からフォーカシングコイル１０４Ｒ、１０４Ｌ及びトラッキングコイル１０５Ｒ、１０５Ｌまでの距離が長いため、対物レンズ１０１と発熱源との距離が長いと同時に対物レンズ１０１から駆動点までの距離が長いということになる。したがって、対物レンズ１０１の駆動伝達系の固有振動数が低くなってしまう。特に、ＢＤ用対物レンズ又はＢＤを含めたＤＶＤ/ＣＤとの複数波長互換対物レンズを用いた場合、高密度化のために高ＮＡ化されており、許容フォーカシング残差が小さくなるので、必要なサーボゲインが大きくなる。その結果、対物レンズアクチュエータには、駆動時の高次共振周波数のより高帯域化が要求されることとなる。【００１８】
以上の観点から、対物レンズ１０１から駆動点までの距離が長い従来構成では、対物レンズアクチュエータの必要な高次共振周波数が得られない。その結果、デフォーカスによって十分な光スポットの集光性能が得られず、高密度の記録再生に対応できないという課題がある。【００１９】
また、図１９に示す従来の対物レンズアクチュエータでは、ＢＤ用対物レンズ１３３及びＤＶＤ/ＣＤ用対物レンズ１３４の二つの対物レンズがレンズホルダ１２１に搭載されているため、レンズホルダ１２１が大きくなり、光ピックアップ装置が大型化するという課題がある。さらに、ＢＤ用対物レンズ１３３及びＤＶＤ/ＣＤ用対物レンズ１３４の二つの対物レンズを用いる必要があるため、装置のコストが上昇するという課題もある。
【先行技術文献】
【特許文献】
【００２０】
【特許文献１】特開２００４−１４６０３４号公報
【特許文献２】特開２００６−１６４４１６号公報
【発明の概要】
【００２１】
本発明の目的は、複数種類の円盤状記録媒体に対する互換機能を有する一つの対物レンズを用いて、良好な集光特性を得て安定的な高密度記録再生を実現することができるとともに、装置のコストダウンを可能とし、さらに、装置の小型化及び薄型化を達成することができる光ピックアップ装置、光情報装置及び情報処理装置を提供することである。
【００２２】
本発明の一局面に従う光ピックアップ装置は、所定の波長の光ビームを出射する光源と、前記光源からの光ビームを集光して円盤状記録媒体に照射する一つの対物レンズと、前記対物レンズを駆動する対物レンズアクチュエータと、前記円盤状記録媒体の記録面により反射された光ビームを前記対物レンズを介して受光して電気信号に変換する光検出器と、前記光源、前記対物レンズアクチュエータ及び前記光検出器を保持する光学ベースとを備え、前記対物レンズアクチュエータは、前記対物レンズを保持するレンズホルダと、前記円盤状記録媒体に対して垂直な方向であるフォーカシング方向と、前記円盤状記録媒体の半径方向であるトラッキング方向とに移動可能に前記レンズホルダを支持する支持機構と、前記レンズホルダに固定され、前記レンズホルダを前記フォーカシング方向に駆動するフォーカシングコイルと、前記レンズホルダに固定され、前記レンズホルダを前記トラッキング方向に駆動するトラッキングコイルと、前記支持機構の一端を保持するアクチュエータベースと、前記アクチュエータベースに保持され、前記フォーカシングコイル及び／又は前記トラッキングコイルに対向する位置に配置されて前記フォーカシングコイル及び／又は前記トラッキングコイルに磁界を付与するマグネットとを備え、前記レンズホルダと前記対物レンズとの間に第１の空隙及び第２の空隙が形成され、前記円盤状記録媒体は時計周りに回転し、前記対物レンズの中心を原点とし、前記トラッキング方向をｙ軸とし、前記円盤状記録媒体のトラックの接線方向をｘ軸とするｘｙ平面において、前記ｙ軸は前記円盤状記録媒体の中心側を正方向とし、前記ｘ軸は前記ｙ軸の正方向を時計回りに９０°回転した方向を正方向とし、前記ｘｙ平面を前記ｘ軸及び前記ｙ軸によって分割した４つの領域を反時計回りに第１象限、第２象限、第３象限及び第４象限としたとき、前記第１の空隙は、少なくとも前記第１象限内に位置し、前記第２の空隙は、少なくとも前記第３象限内に位置する。
【００２３】
上記の光ピックアップ装置では、複数種類の円盤状記録媒体に対する互換機能を有する一つの対物レンズを用いて、良好な集光特性を得て安定的な高密度記録再生を実現することができるとともに、装置のコストダウンを可能とし、さらに、装置の小型化及び薄型化を達成することができる。
【図面の簡単な説明】
【００２４】
【図１】本発明の実施の形態１における光ピックアップ装置の概略構成を示す模式図である。
【図２】図１に示す光ピックアップ装置の具体的な構成を示す上面図である。
【図３】図２に示す対物レンズアクチュエータの構成を示す斜視図である。
【図４】図２に示す対物レンズアクチュエータの構成を示す上面図である。
【図５】図２に示す対物レンズアクチュエータの可動体の構成を示す斜視図である。
【図６】図２に示す対物レンズアクチュエータのマグネット及びコイルの構成を示す斜視図である。
【図７】本発明の実施の形態２における光ピックアップ装置の対物レンズアクチュエータの構成を示す斜視図である。
【図８】図７に示す対物レンズアクチュエータの構成を示す上面図である。
【図９】図７に示す対物レンズアクチュエータの可動体の構成を示す斜視図である。
【図１０】図７に示す対物レンズアクチュエータのマグネット及びコイルの構成を示す斜視図である。
【図１１】図７に示す対物レンズアクチュエータの可動体に設けられた空隙の位置及び大きさを説明するための上面図である。
【図１２】図１１に示す可動体における気流の流れをシミュレーションした結果を示す模式図である。
【図１３】図１１のＸＩＩＩ−ＸＩＩＩ線による可動体の断面図である。
【図１４】本発明の実施の形態３における光ディスク装置の概略構成を示す模式図である。
【図１５】本発明の実施の形態４におけるコンピュータの全体構成を示す概略斜視図である。
【図１６】本発明の実施の形態５における光ディスクプレーヤの全体構成を示す概略斜視図である。
【図１７】本発明の実施の形態６における光ディスクレコーダの全体構成を示す概略斜視図である。
【図１８】従来の光ピックアップ装置の対物レンズアクチュエータの構成を示す斜視図である。
【図１９】従来の他の光ピックアップ装置の対物レンズアクチュエータの構成を示す上面図である。
【発明を実施するための形態】
【００２５】
ここで、本願発明者らが新たに見出した従来の光ピックアップ装置の対物レンズアクチュエータの課題について説明する。図１９に示す従来の構成のように、ＢＤ用対物レンズ１３３及びＤＶＤ/ＣＤ用対物レンズ１３４の二つの対物レンズがレンズホルダ１２１に搭載されている場合は、レンズホルダ１２１の一方の側面に配置されたフォーカシングコイル１２３、チルティングコイル１２７、及びトラッキングコイル１２５からなるコイル群とＢＤ用対物レンズ１３３との距離と、他方の側面に配置されたフォーカシングコイル１２４、チルティングコイル１２８、及びトラッキングコイル１２６からなるコイル群とＢＤ用対物レンズ１３３との距離とを比較すると、他方の側面に配置されたコイル群はＢＤ用対物レンズ１３３から大きく離間している。
【００２６】
このような構成の場合、接着部１３１ａ、１３１ｂ、１３１ｃの位置は、他方の側面に配置されたコイル群に比べて一方の側面に配置されたコイル群の方が近い位置関係となる。よって、他方の側面に配置されたコイル群によって発生する熱量の、ＢＤ用対物レンズ１３３の温度上昇への寄与は非常に小さい。
【００２７】
また、二つの対物レンズ１３３、１３４が搭載されている構成の場合は、レンズホルダ１２１の容積が大きくなるため、レンズホルダ１２１の熱容量が大きくなり、ＢＤ用対物レンズ１３３への熱量の流入は小さいものとなる。
【００２８】
したがって、接着部１３１ａの位置の最適化により、一方の側面に配置されたコイル群からの熱の流入を平準化でき、ＢＤ用対物レンズ１３３の温度上昇の値そのものも小さく抑えることができる。
【００２９】
しかしながら、二つの対物レンズ１３３、１３４に代えて、ＢＤと、ＤＶＤ（及び／又はＣＤ）との互換機能を有する１つの対物レンズのみをレンズホルダに搭載する場合、対物レンズと一方の側面に配置されたコイル群との距離と、対物レンズと他方の側面に配置されたコイル群との距離とは、等距離になり、対物レンズとコイル群とがそれぞれ近接する。
【００３０】
このような構成の場合、１つの対物レンズへの熱量の流入は、二つの対物レンズが搭載された構成に対して２倍の熱量が流入する。
【００３１】
また、レンズホルダの容積は、二つの対物レンズが搭載された構成に対して半分程度となるため、レンズホルダの熱容量も半分程度となり、レンズホルダの温度上昇の値そのものが２倍程度となってしまう。
【００３２】
したがって、接着部の位置を最適化して対物レンズへの熱量の流入を平準化することにより、対物レンズの温度分布のばらつきを小さく抑えることができても、対物レンズに流入する熱量が大きいために、対物レンズの温度上昇の値そのものは大きくなってしまう。
【００３３】
特に、対物レンズの下側には空気が滞留するために、放熱量が小さくなり、温度上昇がより大きくなる。
【００３４】
このように、対物レンズの温度分布のばらつきが抑えられた状態でも、温度上昇の値そのものが大きいと、光スポット上で球面収差が発生し、十分な集光特性が得られなくなってしまい、高密度の記録再生に対応できないという課題があった。
【００３５】
特に、ＢＤと、ＤＶＤ（及び／又はＣＤ）との互換機能を有する１つの樹脂対物レンズでは、温度変化による球面収差の変化が大きく、１℃あたり５ｍλ以上の球面収差が発生してしまう。
【００３６】
ここで、対物レンズの温度変化に応じてコリメートレンズを光軸方向に移動させることにより、温度変化に伴って生じる球面収差を補正することが可能であるが、上記のように対物レンズの温度上昇が大きい場合、特に樹脂対物レンズを搭載している場合には、温度変化に伴って生じる球面収差の変化が大きくなり、コリメートレンズの可動範囲が非常に長くなる。この結果、温度変化に相当するコリメートレンズの可動範囲を確保することが困難となり、あるいは光ピックアップ装置の大型化が必要となり、装置としての商品性が著しく低下してしまい、光ピックアップ装置として致命的な課題となる。
【００３７】
さらに、対物レンズの温度上昇が大きくなると、表面のコーティングにヒビ割れや白濁等の損傷が発生し、最終的にはレンズ破壊に至るという重大な課題を有していた。
【００３８】
上記の新たな課題をも含めて、本発明の各実施の形態は、従来の光ピックアップ装置の課題を解決する。以下、本発明の各実施の形態について、図面を参照しながら説明する。
【００３９】
（実施の形態１）
図１は、本発明の実施の形態１における光ピックアップ装置の概略構成を示す模式図であり、図２は、図１に示す光ピックアップ装置の具体的な構成を示す上面図である。
【００４０】
図１及び図２に示す光ピックアップ装置は、対物レンズ１、青色半導体レーザユニット２１、赤色及び赤外半導体レーザユニット２２、ビームスプリッタ２６、コリメートレンズ２７、ミラー２８、対物レンズアクチュエータ２９、プレートビームスプリッタ３０、検出レンズ３１、光検出器３２、及び光学ベース３３を備える。また、図２に示すように、光ピックアップ装置は、ＣＬ（コリメータレンズ）アクチュエータ４４をさらに備え、ＣＬアクチュエータ４４は、ＣＬホルダ４１、ＣＬアクチュエータ主軸４２、及びステッピングモータ４３を備える。
【００４１】
図１及び図２において、青色半導体レーザユニット２１は、光学ベース３３に保持されている。青色半導体レーザユニット２１から出射される光ビームは、４００ｎｍ〜４１５ｎｍの波長を有し、本実施の形態では、青色半導体レーザユニット２１は、例えば、略４０５ｎｍの波長の光ビームを出射するように構成されている。なお、一般に、上述の波長を有する光は、青色〜紫色を有している。
【００４２】
赤色及び赤外半導体レーザユニット２２は、光学ベース３３に保持されている。赤色及び赤外半導体レーザユニット２２から出射される光ビームは、６４０ｎｍ〜８００ｎｍの波長を有し、赤色及び赤外半導体レーザユニット２２は、一種の波長の光ビームを単数出射したり、あるいは複数種の波長の光ビームを複数出射するように構成されている。本実施の形態では、赤色及び赤外半導体レーザユニット２２は、例えば、ＤＶＤに対応する略６６０ｎｍの波長の光ビームと、ＣＤに対応する略７８０ｎｍの光ビームとを出射するように構成されている。
【００４３】
対物レンズ１は、少なくとも略４０５ｎｍの波長を含む複数の波長に対応した複数波長互換対物レンズであり、レンズ表面に波長選択機能を持つ微細な回折構造を有する。この回折構造は、レンズを透過する光ビームの波長によって焦点位置を任意に設定することができる。本実施の形態では、対物レンズ１として、例えば、略４０５ｎｍの波長に加えて、略６６０ｎｍの波長及び略７８０ｎｍの波長の３種類の波長に対応した３波長互換対物レンズが用いられる。対物レンズ１には、作動距離が赤外光、赤色光、青色光の順に大きくなるように、回折構造が構成されており、例えば、各波長ごとの作動距離は、赤外光が略０．３ｍｍ、赤色光が略０．４４ｍｍ、青色光が略０．５ｍｍと設定している。
【００４４】
また、対物レンズ１は、樹脂成形によって形成される樹脂レンズであり、本実施の形態では、例えば、シクロオレフィンを重合して得られる樹脂であるシクロオレフィンポリマーを用いて成形されている。
【００４５】
図１に示すＢＤ２３、ＤＶＤ２４、及びＣＤ２５は、それぞれ円盤状記録媒体の一例である光ディスクであり、使用状態では、ＢＤ２３、ＤＶＤ２４、及びＣＤ２５のうち一枚の光ディスクのみが使用されるが、図１では、作動距離の差を示すために、ＢＤ２３、ＤＶＤ２４、及びＣＤ２５を同時に表記している。
【００４６】
本実施の形態は、波長略４０５ｎｍのＢＤ用の光ビーム、波長略６６０ｎｍのＤＶＤ用の光ビーム及び波長略７８０ｎｍの光ビームの３種類の波長の光ビームを１つの対物レンズ１によって集光し、各波長に対応した光ディスク（ＢＤ２３、ＤＶＤ２４、又はＣＤ２５）に対して情報の記録再生を行う３波長互換対物レンズを用いた光ピックアップ装置である。
【００４７】
青色半導体レーザユニット２１から出射された青色の光ビームは、ビームスプリッタ２６で反射され、コリメートレンズ２７に向かう。ここで、コリメートレンズ２７は、光ビームを所定の発散度に変換するように設定されている。また、詳細は後述するが、図２に示すように、コリメートレンズ２７は、ＣＬホルダ４１に固定され、ＣＬホルダ４１は、ＣＬアクチュエータ主軸４２及びステッピングモータ４３の回転軸に移動可能に保持されている。コリメートレンズ２７は、ＣＬアクチュエータ４４に搭載され、ステッピングモータ４３によって光軸方向に駆動される。このように、コリメートレンズ２７の位置を変位させることができるので、光ビームの発散度を任意の値に選択することができる。したがって、複数層の情報記録面を有する光ディスク（ＢＤ２３）の各層ごとの基材厚の違いに対応した集光スポットの生成が可能である。
【００４８】
光ビームは、コリメートレンズ２７を透過した後、ミラー２８によって折り曲げられて対物レンズアクチュエータ２９に搭載された対物レンズ１に向かう。対物レンズ１で絞られた青色の光ビームは、略０．５ｍｍの作動距離にあるＢＤ２３の情報記録面上に集光されて照射される。
【００４９】
そして、ＢＤ２３の情報記録面からの反射光は、往路と同様に、対物レンズ１を透過した後、ミラー２８で反射され、さらに、コリメートレンズ２７を透過してビームスプリッタ２６に至る。復路では、光ビームは、ビームスプリッタ２６を透過し、さらにプレートビームスプリッタ３０及び検出レンズ３１を透過した後、光検出器３２に入射される。光検出器３２は、入射した光ビームを光電変換して光ピックアップ制御回路（図示省略）へ出力し、光ピックアップ制御回路は、フォーカシングエラー信号、トラッキングエラー信号及び光ディスク再生信号を生成する。
【００５０】
赤色及び赤外半導体レーザユニット２２から出射された赤色の光ビームは、プレートビームスプリッタ３０で反射され、ビームスプリッタ２６を透過した後、コリメートレンズ２７に向かう。光ビームは、コリメートレンズ２７を透過した後、ミラー２８によって折り曲げられて対物レンズアクチュエータ２９に搭載された対物レンズ１に向かう。対物レンズ１で絞られた赤色の光ビームは、略０．４４ｍｍの作動距離にあるＤＶＤ２４の情報記録面上に集光されて照射される。
【００５１】
そして、ＤＶＤ２４の情報記録面からの反射光は、往路と同様に、対物レンズ１を透過した後、ミラー２８で反射され、さらに、コリメートレンズ２７及びビームスプリッタ２６を透過し、プレートビームスプリッタ３０に至る。復路では、光ビームは、プレートビームスプリッタ３０を透過し、さらに検出レンズ３１を透過した後、光検出器３２に入射される。光検出器３２は、入射した光ビームを光電変換して光ピックアップ制御回路（図示省略）へ出力し、光ピックアップ制御回路は、フォーカシングエラー信号、トラッキングエラー信号及び光ディスク再生信号を生成する。
【００５２】
赤色及び赤外半導体レーザユニット２２から赤外の光ビームが出射された場合の動作は、上記した赤色の光ビームの場合と同様であり、赤外の光ビームは、上記と同様の経路を通って対物レンズ１に至る。対物レンズ１で絞られた赤外の光ビームは、略０．３ｍｍの作動距離にあるＣＤ２５の情報記録面上に集光されて照射される。
【００５３】
そして、ＣＤ２５の情報記録面からの反射光も、赤色の光ビームの場合と同様の経路を通って光検出器３２に入射される。光検出器３２は、入射した光ビームを光電変換して光ピックアップ制御回路（図示省略）へ出力し、光ピックアップ制御回路は、フォーカシングエラー信号、トラッキングエラー信号及び光ディスク再生信号を生成する。
【００５４】
以上説明した構成部品として、青色半導体レーザユニット２１、赤色及び赤外半導体レーザユニット２２、ビームスプリッタ２６、ミラー２８、プレートビームスプリッタ３０、検出レンズ３１及び光検出器３２は、光学ベース３３に搭載されている。また、コリメートレンズ２７は、ＣＬアクチュエータ４４に搭載され、ＣＬアクチュエータ４４は、光学ベース３３に搭載される。対物レンズアクチュエータ２９は、対物レンズ１の位置調整が完了した状態で光学ベース３３に接着固定されている。
【００５５】
図２において、ｘ軸は、対物レンズ１の中心を通り、スピンドルモータ４７のターンテーブル４７ａの外縁の接線方向に平行な軸であり、ｙ軸は、対物レンズ１の中心を通り、スピンドルモータ４７のターンテーブル４７ａの半径方向に平行な軸である。また、スピンドルモータ４７の回転中心は、ｙ軸上に位置しており、ターンテーブル４７ａは、時計回りである回転方向Ｒｍに回転駆動される。光学ベース３３は、ｙ軸に平行に配置された主軸４５及び副軸４６によって支持されており、光学ベース３３が主軸４５及び副軸４６の円筒面を摺動することにより、対物レンズ１がｙ軸上を移動し、ＢＤ２３又はＤＶＤ２４又はＣＤ２５の任意の半径位置に移動可能に構成されている。
【００５６】
したがって、図２に示すように、上面視において、ＢＤ２３（又はＤＶＤ２４又はＣＤ２５）は時計周りに回転し、対物レンズ１の中心を原点とし、ＢＤ２３の半径方向であるトラッキング方向をｙ軸とし、ＢＤ２３のトラックの接線方向をｘ軸とするｘｙ平面（ｘｙ座標系）において、ｙ軸はＢＤ２３の中心側を正方向とし、ｘ軸はｙ軸の正方向を時計回りに９０°回転した方向を正方向とし、ｘｙ平面をｘ軸及びｙ軸によって分割した４つの領域を反時計回りに第１象限、第２象限、第３象限及び第４象限として規定することができる。
【００５７】
次に、図２を用いてＣＬアクチュエータ４４の構成について説明する。
【００５８】
図２において、コリメートレンズ２７は、ＣＬホルダ４１に搭載されており、ＣＬホルダ４１は、ｘ軸に対して平行に配置されたＣＬアクチュエータ主軸４２に支持されている。ＣＬホルダ４１がＣＬアクチュエータ主軸４２の円筒面を摺動することにより、コリメートレンズ２７は、ｘ軸上を移動し、ミラー２８（図１参照）とビームスプリッタ２６との間の任意の位置に移動可能に構成されている。
【００５９】
ステッピングモータ４３は、回転軸がｘ軸と略平行になるように配置されていて、回転軸と同軸にリードスクリューが設けられている。
【００６０】
ＣＬホルダ４１の端部には、ステッピングモータ４３のリードスクリューの溝にかみ合う突起が設けられており、ステッピングモータ４３が回転することにより、リードスクリューが回転し、その結果、ＣＬホルダ４１は、ＣＬアクチュエータ主軸４２に沿って移動する。また、ステッピングモータ４３に入力する駆動信号のパルス数を調整することにより、リードスクリューの回転量が決定され、コリメートレンズ２７の移動量を設定することができる。
【００６１】
次に、図３、図４、図５及び図６を用いて、対物レンズアクチュエータ２９の構成について説明する。
【００６２】
図３は、図２に示す対物レンズアクチュエータの構成を示す斜視図であり、図４は、図２に示す対物レンズアクチュエータの構成を示す上面図であり、図５は、図２に示す対物レンズアクチュエータの可動体の構成を示す斜視図であり、図６は、図２に示す対物レンズアクチュエータのマグネット及びコイルの構成を示す斜視図である。
【００６３】
ここで、図３、図５及び図６に示すｚ軸は、対物レンズ１の中心軸であり、ｘ軸、ｙ軸と相互に直交し、それぞれ３次元直交座標系を構成している。また、図３及び図６に示すｒ方向は、ｘ軸周りの回転方向であるラジアルチルト方向である。
【００６４】
図３及び図４に示す対物レンズアクチュエータ２９は、レンズホルダ２、二つのフォーカシングコイル４ａ、４ｂ、二つのトラッキングコイル５ａ、５ｂ、二つの端子板６、二つのマグネット８ａ、８ｂ、６本のサスペンションワイヤー９、固定部材１０、固定基板１１、及びヨークベース１２を備える。また、固定部材１０、固定基板１１及びヨークベース１２は、サスペンションワイヤー９の一端を保持するアクチュエータベースの一例である。
【００６５】
レンズホルダ２は、成形された樹脂から構成され、略直方体形状を有している。レンズホルダ２の上面には、対物レンズ１が搭載されている。レンズホルダ２におけるｘ軸に垂直な二つの側面には、フォーカシングコイル４ａ、４ｂと、トラッキングコイル５ａ、５ｂとが取り付けられており、ｙ軸に垂直な二つの側面にはそれぞれ端子板６が取り付けられている。
【００６６】
次に、図５等を用いて、可動体７の詳細構成を説明する。可動体７は、対物レンズ１、レンズホルダ２、二つのフォーカシングコイル４ａ、４ｂ、二つのトラッキングコイル５ａ、５ｂ、及び二つの端子板６から構成されている。
【００６７】
レンズホルダ２は、ｚ軸を中心とする円形の開口Ａ１を有しており、この開口Ａ１から対物レンズ１に光ビームが入射する。したがって、対物レンズ１に入射する有効光ビーム径は、この開口Ａ１の径によって決定される。
【００６８】
レンズホルダ２の上側の平坦面Ｐ１のうち、上面視において、ｘ軸及びｙ軸からなるｘｙ平面の第２象限に位置する領域を中心に対物レンズ搭載部２ａが突出して設けられ、第４象限に位置する領域を中心に対物レンズ搭載部２ｂが突出して設けられている。対物レンズ１は、第１の固定部の一例である対物レンズ搭載部２ａ及び第２の固定部の一例である対物レンズ搭載部２ｂに固定され、対物レンズ搭載部２ａは、レンズホルダ２の平坦面Ｐ１のうち、少なくとも第２象限内に位置し、対物レンズ搭載部２ｂは、少なくとも第４象限内に位置している。
【００６９】
本実施の形態では、対物レンズ搭載部２ａの大部分（例えば、対物レンズ搭載部２ａ全体の７５％以上の部分）が第２象限に位置し、残りの一部（例えば、対物レンズ搭載部２ａ全体の２５％未満の部分）が第１象限に位置し、対物レンズ搭載部２ｂの大部分（例えば、対物レンズ搭載部２ｂ全体の７５％以上の部分）が第４象限に位置し、残りの一部（例えば、対物レンズ搭載部２ｂ全体の２５％未満の部分）が第３象限に位置している。
【００７０】
対物レンズ搭載部２ａには、平坦面Ｐ１から上方へ約０．４ｍｍの離間距離を有する位置に対物レンズ載置面Ｐａが形成され、対物レンズ搭載部２ｂには、平坦面Ｐ１から上方へ約０．４ｍｍの離間距離を有する位置に対物レンズ載置面Ｐｂが形成されている。対物レンズ載置面Ｐａ、Ｐｂの縁には、ｚ軸を中心軸とする四つの円筒面Ｃａ、Ｃｂが立ち上がっている。
【００７１】
対物レンズ１のコバ下面１ａが対物レンズ載置面Ｐａ、Ｐｂに載置されることにより、対物レンズ１のｚ軸方向の位置決めが行われ、四つの円筒面Ｃａ、Ｃｂに対物レンズ１の外径を沿わせることにより、対物レンズ１のｘ軸方向及びｙ軸方向の位置決めが行われる。なお、円筒面の数及び位置は、上記の例に特に限定されず、種々の変更が可能である。
【００７２】
また、対物レンズ載置面Ｐａには、一部領域が開放された接着剤塗布部３ａが設けられ、対物レンズ載置面Ｐｂには、一部領域が開放された接着剤塗布部３ｂが設けられており、レンズホルダ２に対して対物レンズ１が位置決めされた状態で、接着剤塗布部３ａ、３ｂに接着剤を注入して硬化させることにより、接着剤塗布部３ａ、３ｂがレンズホルダ２と対物レンズ１との接着部となり、対物レンズ１がレンズホルダ２に固着される。なお、接着剤塗布部の数及び位置は、上記の例に特に限定されず、種々の変更が可能である。
【００７３】
上記のように、対物レンズ搭載部２ａと対物レンズ搭載部２ａとの間には、レンズホルダ２に対物レンズ１が固定された結果、対物レンズ１のコバ下面１ａとレンズホルダ２の上側の平坦面Ｐ１との間に二つの空隙Ｇａ、Ｇｂ（図５の破線で囲まれたハッチング領域）が形成される。ここで、図４に示すように、上面視において、空隙Ｇａは、ｘ軸及びｙ軸からなるｘｙ平面の第１象限に位置する領域を中心に形成され、空隙Ｇｂは、第３象限に位置する領域を中心に形成されている。すなわち、空隙Ｇａは、少なくとも第１象限内に位置し、空隙Ｇｂは、少なくとも第３象限内に位置している。
【００７４】
また、第１象限側の空隙Ｇａと第３象限側の空隙Ｇｂとは、対物レンズ１の下側の空間によって繋がっており、第１象限側の空隙Ｇａから第３象限側の空隙Ｇｂに至る通風路が、対物レンズ１の下側に形成されることとなる。このとき、図４に示すように、ＢＤ２３、ＤＶＤ２４及びＣＤ２５のうちのいずれかの光ディスクの時計回りの回転（回転方向Ｒｍの回転）によって、光ディスクの表面近傍に発生する渦巻き状の気流Ｆの流れが矢印方向に沿って構築されている。したがって、渦巻き状の気流Ｆは、第１象限の領域を中心に構成された空隙Ｇａから第３象限の領域を中心に構成された空隙Ｇｂに向けて通風路を貫通するように通り抜ける。
【００７５】
また、第１象限側の空隙Ｇａから進入した気流Ｆは、通風路内部では対物レンズ１の下側の凸面１ｂに沿ってレンズ周縁部に一端拡散した後（図４中の破線で示す経路）、第３象限側の空隙Ｇｂに向けて収束し、最終的に通風路の外部に排出される。
【００７６】
フォーカシングコイル４ａ、４ｂは、矩形形状に巻回された扁平コイルである。ここで、図４に示すように、上面視において、フォーカシングコイル４ａは、レンズホルダ２のｘ軸に対して垂直な一方の側面のうち、ｘ軸及びｙ軸からなるｘｙ平面の第１象限内に位置する領域に接着されて固定され、フォーカシングコイル４ｂは、レンズホルダ２のｘ軸に対して垂直な他方の側面のうち、第３象限内に位置する領域に接着されて固定されている。したがって、フォーカシングコイル４ａは、第１象限内のレンズホルダ２の側面に固定され、フォーカシングコイル４ｂは、第３象限内のレンズホルダ２の側面に固定され、フォーカシングコイル４ａとフォーカシングコイル４ｂとは、ｚ軸に対して互いに軸対称な位置関係となっている。
【００７７】
トラッキングコイル５ａ、５ｂは、矩形形状に巻回された扁平コイルである。上面視において、トラッキングコイル５ａは、レンズホルダ２のｘ軸に垂直な一方の側面の中心に接着されており、トラッキングコイル５ａの接着位置の中心がｘ軸上に位置するように配置されている。トラッキングコイル５ｂは、レンズホルダ２のｘ軸に垂直な他方の側面の中心に接着されており、トラッキングコイル５ｂの接着位置の中心がｘ軸上に位置するように配置されている。
【００７８】
フォーカシングコイル４ａ及びフォーカシングコイル４ｂは、端子板６、サスペンションワイヤー９、及び固定基板１１を介して、それぞれ独立に駆動信号を供給される。
【００７９】
トラッキングコイル５ａ及びトラッキングコイル５ｂは、端子板６を介して直列に結線された状態で、端子板６、サスペンションワイヤー９、及び固定基板１１を介して駆動信号を供給される。
【００８０】
以上のように構成された可動体７の重心は、上面視において、略ｚ軸上に位置している。
【００８１】
図３及び図４において、固定部材１０及び固定基板１１は、それぞれヨークベース１２に固定されている。サスペンションワイヤー９は、光ディスクの情報記録面に対して垂直な方向であるフォーカシング方向と、光ディスクの半径方向であるトラッキング方向とに移動可能にレンズホルダ２を支持する支持機構の一例である。本実施の形態では、サスペンションワイヤー９は、例えば、６本の弾性金属線によって構成されており、基端側を固定基板１１に、先端側を端子板６にそれぞれ半田固定されている。結果として、可動体７は、サスペンションワイヤー９によって、固定基板１１が固定されているヨークベース１２に対してフォーカシング方向（光ディスクの情報記録面に対して垂直な方向）であるｚ軸方向、トラッキング方向（光ディスクの半径方向）であるｘ軸方向及びラジアルチルト方向ｒに移動可能に支持されている。
【００８２】
また、固定部材１０には、サスペンションワイヤー９を挿通するための開口が設けられており、この開口に流動性の制振剤を注入後、ゲル状に硬化することにより、サスペンションワイヤー９の共振を減衰することができる。
【００８３】
対物レンズアクチュエータ２９は、光学ベース３３に構成された光学系に対する対物レンズ１のｘ方向、ｙ方向、及びｚ方向の位置並びに傾斜角を調整された状態で、ヨークベース１２の固定部１２ａ、１２ｂ、１２ｃ、１２ｄの各部を光学ベース３３に接着固定されている。
【００８４】
図３、図４、及び図６において、二つのマグネット８ａ、８ｂは、ｘ軸と略一致する位置を境界線とする二つの領域にｘ軸に平行な方向でかつ逆向きに磁化されている。二つのマグネット８ａ、８ｂは、ヨークベース１２に固定されていて、ｚ軸に対して互いに軸対称となる位置に配置されている。
【００８５】
具体的には、マグネット８ａは、上面視において、ｘ軸上に着磁境界面Ｍａを有し、トラッキングコイル５ａの対物レンズ１の光軸と略平行な二つの辺Ｓ５ａ、Ｓ５ａ’に逆向きの磁界を付与し、かつフォーカシングコイル４ａのｙ軸と略平行な二つの辺のうち光ディスクに近い上側の辺Ｓ４ａに磁界を付与する。マグネット８ｂは、上面視において、ｘ軸上に着磁境界面Ｍｂを有し、トラッキングコイル５ｂの対物レンズ１の光軸と略平行な二つの辺Ｓ５ｂ、Ｓ５ｂ’に逆向きの磁界を付与し、かつフォーカシングコイル４ｂのｙ軸と略平行な二つの辺のうち光ディスクに近い上側の辺Ｓ４ｂに磁界を付与する。
【００８６】
上記の構成により、フォーカシングコイル４ａ、４ｂを対物レンズ１に対してレンズホルダ２の下方に取り付けることができるので、発熱源となるフォーカシングコイル４ａ、４ｂを対物レンズ１から離間することができ、対物レンズ１の温度上昇を抑制することができる。
【００８７】
次に、図６を用いて、マグネット８ａ、８ｂと、フォーカシングコイル４ａ、４ｂ及びトラッキングコイル５ａ、５ｂとの関係についてさらに詳細に説明する。
【００８８】
フォーカシングコイル４ａ、４ｂの上側のｙ軸に平行な辺Ｓ４ａ、Ｓ４ｂは、マグネット８ａ、８ｂの磁極面にそれぞれ対向する位置に配置されている。したがって、フォーカシングコイル４ａ、４ｂにそれぞれ独立に駆動信号が供給され、同じ大きさの電流がそれぞれ矢印Ａａ、Ａｂの向きに流されたとき、フォーカシングコイル４ａ、４ｂには、同じ大きさでｚ軸の正方向（図中の上側）の駆動力が発生し、対物レンズ１は、ｚ軸の正方向に駆動される。一方、それぞれ矢印Ａａ、Ａｂと逆向きの電流が流されたときは、対物レンズ１は、ｚ軸の負方向（図中の上側）に駆動される。また、フォーカシングコイル４ａ、４ｂのそれぞれに流される電流の大きさを調整することにより、ラジアルチルト方向ｒのモーメント力が発生し、対物レンズ１が傾斜するので、チルト方向の駆動も行うことができる。
【００８９】
トラッキングコイル５ａ、５ｂのｚ軸に平行な二つの辺Ｓ５ａ、Ｓ５ａ’、Ｓ５ｂ、Ｓ５ｂ’は、マグネット８ａ、８ｂの着磁境界面Ｍａ、Ｍｂを境界としてそれぞれ異なる磁極面に対向する位置に配置されている。したがって、トラッキングコイル５ａ、５ｂが直列に結線され、トラッキングコイル５ａ、５ｂに矢印Ａｃ、Ａｄの向きの電流が流されたとき、トラッキングコイル５ａ、５ｂにはｙ軸の正方向（図中の左側）の駆動力が発生し、対物レンズ１は、ｙ軸の正方向に駆動される。一方、それぞれ矢印Ａｃ、Ａｄと逆向きの電流が流されたときは、対物レンズ１は、ｙ軸の負方向（図中の右側）に駆動される。
【００９０】
上記の構成により、本実施の形態では、レンズホルダ２に対物レンズ１が固定された結果、レンズホルダ２の上側の平坦面Ｐ１上のｘ軸及びｙ軸からなるｘｙ平面の略第１象限及び略第３象限に相当する領域において、対物レンズ１のコバ下面１ａとレンズホルダ２の平坦面Ｐ１との間に、二つの空隙Ｇａ、Ｇｂが構成される。第１象限側の空隙Ｇａと、第３象限側の空隙Ｇｂとは、対物レンズ１の下側の空間によって繋がっており、第１象限側の空隙Ｇａから第３象限側の空隙Ｇｂに至る通風路が、対物レンズ１の下側に形成されることとなる。
【００９１】
ここで、ＢＤ２３、ＤＶＤ２４及びＣＤ２５のうちのいずれかの光ディスクの時計回りの回転によって、光ディスクの表面近傍に発生する渦巻き状の気流Ｆの流れが矢印方向に沿って構築されているため、渦巻き状の気流Ｆは、略第１象限の領域に構成された空隙Ｇａから略第３象限の領域に構成された空隙Ｇｂに向けて貫通するように通風路を通り抜け、対物レンズ１の下側の表面を効率良く放熱することが可能となる。
【００９２】
また、第１象限側の空隙Ｇａから進入した気流Ｆは、通風路内部では対物レンズ１の下側の凸面１ｂに沿ってレンズ周縁部に一端拡散した後、第３象限側の空隙Ｇｂに向けて収束し、通風路外部に排出される。したがって、特に、温度上昇が大きくなる対物レンズ１の周縁部の放熱に適した気流Ｆの流れが発生し、対物レンズ１の熱量を全体的に効率良く放熱し、この放熱の結果、対物レンズ１全体の温度を均一化することが可能となる。
【００９３】
したがって、フォーカシングコイル４ａ、４ｂ及びトラッキングコイル５ａ、５ｂで発生する熱量が、接着剤塗布部３ａ、３ｂの接着剤を介して流入しても、対物レンズ１の温度上昇を効率よく抑制し、かつ均一化することが可能となる。この結果、対物レンズ１がＢＤを含むＤＶＤ又はＣＤとの互換機能を有する樹脂対物レンズであっても、良好な集光特性を得て、安定な高密度記録再生の実現とコストダウンを可能とする光ピックアップ装置及び光ディスク装置を実現することができる。
【００９４】
さらに、フォーカシングコイル４ａ、４ｂは、レンズホルダ２のｘ軸に垂直な両端面で、ｘ軸及びｙ軸からなるｘｙ平面の略第１象限及び略第３象限に相当する領域にｚ軸に対して互いに軸対称な位置関係でそれぞれ配置接着されている。したがって、発熱量が大きくなり易いフォーカシングコイル４ａ、４ｂを気流Ｆの流れに沿った配置とすることにより、発熱源となるフォーカシングコイル４ａ、４ｂを直接冷却することができる。加えて、レンズホルダ２のフォーカシングコイル４ａ、４ｂから対物レンズ１に至る熱伝導経路をも冷却することができるので、対物レンズ１への熱量の流入を効率良く抑制することが可能となる。
【００９５】
また、トラッキングコイル５ａ、５ｂは、レンズホルダ２のｘ軸に垂直な両端面で、ｘ軸及びｙ軸からなるｘｙ平面においてｘ軸上に相当する領域にそれぞれ配置接着されている。その結果、フォーカシングコイル４ａとトラッキングコイル５ａとの組と、フォーカシングコイル４ｂとトラッキングコイル５ｂとの組とがそれぞれ近接して配置される。したがって、発熱源を集中化した状態で、それぞれの組を気流Ｆの流れに沿った配置とすることにより、発熱源となるフォーカシングコイル４ａ、４ｂ及びトラッキングコイル５ａ、５ｂを直接冷却することができる。さらに、レンズホルダ２の集中化された発熱源から対物レンズ１に至る熱伝導経路をも冷却することができるので、対物レンズ１への熱量の流入を効率良く抑制することが可能となる。
【００９６】
また、フォーカシングコイル４ａとトラッキングコイル５ａとの組と、フォーカシングコイル４ｂとトラッキングコイル５ｂとの組とをそれぞれ近接して配置したので、駆動源が集中化されてマグネット８ａ、８ｂのｙ軸方向の寸法を小さくすることができ、結果として、マグネット８ａ、８ｂの容積を縮小して光ピックアップ装置のコストを低減することが可能となる。
【００９７】
なお、光学ベース３３の下面から光ディスクの下面までの寸法が１１ｍｍ以下である薄型の光ピックアップ装置に対して、本実施の形態の構成を適用することにより、より熱容量が小さいレンズホルダ２であっても、対物レンズ１への熱量の流入を効率良く抑制することが可能となり、良好な集光特性を得て、安定した高密度記録再生を実現する薄型のピックアップ装置を実現することが可能となる。
【００９８】
また、本実施の形態では、集光レンズである対物レンズ１をＢＤ２３、ＤＶＤ２４及びＣＤ２５に対応する３種類の波長の互換を可能とする３波長互換対物レンズとしたが、ＢＤとＤＶＤとに、又は、ＢＤとＣＤとに対応する２種類の波長の互換を可能とする複数波長互換対物レンズとしても、同様の効果を実現することができる。
【００９９】
さらに、対物レンズ１を３波長互換対物レンズではなく、ＢＤのみに対応した波長の光を集光する樹脂レンズとしても、同様の効果を実現することができる。
【０１００】
また、対物レンズ１が、ＤＶＤとＣＤとに対応する互換対物レンズ、ＤＶＤのみ又はＣＤのみに対応する対物レンズであっても、あるいはこれらの対物レンズがガラスレンズであっても、本実施の形態と同様の構成を適用することにより、同様の放熱効果を得ることが可能である。この場合、フォーカシングコイル又はトラッキングコイルに通電することのできる許容電流を大きくすることができ、光ディスクの回転数をより高速化することが可能となり、高転送レートに対応した光ピックアップ装置及び光ディスク装置を実現することができる。なお、上記の対物レンズに関する点は、後述する他の実施の形態においても、同様である。
【０１０１】
（実施の形態２）
次に、本発明の実施の形態２における光ピックアップ装置について説明する。図７は、本発明の実施の形態２における光ピックアップ装置の対物レンズアクチュエータの構成を示す斜視図であり、図８は、図７に示す対物レンズアクチュエータの構成を示す上面図であり、図９は、図７に示す対物レンズアクチュエータの可動体の構成を示す斜視図であり、図１０は、図７に示す対物レンズアクチュエータのマグネット及びコイルの構成を示す斜視図である。
【０１０２】
ここで、本実施の形態の光ピックアップ装置は、図１及び図２に示す対物レンズアクチュエータ２９が図７等に示す対物レンズアクチュエータ２９’に変更された点を除き、図１及び図２に示す光ピックアップ装置と同様に構成されているので、全体構成の図示を省略して適時図１及び図２をも参照して説明する。
【０１０３】
本実施の形態の光ピックアップ装置は、対物レンズ１、青色半導体レーザユニット２１、赤色及び赤外半導体レーザユニット２２、ビームスプリッタ２６、コリメートレンズ２７、ミラー２８、図７に示す対物レンズアクチュエータ２９’、プレートビームスプリッタ３０、検出レンズ３１、光検出器３２、及び光学ベース３３を備える（図１及び図２参照）。また、光ピックアップ装置は、ＣＬアクチュエータ４４をさらに備え、ＣＬアクチュエータ４４は、ＣＬホルダ４１、ＣＬアクチュエータ主軸４２、及びステッピングモータ４３を備える（図２参照）。
【０１０４】
上記の各構成部材は、対物レンズアクチュエータ２９’を除き、図１及び図２に示す光ピックアップ装置と同様に構成されているので、詳細な説明を省略し、図７乃至図１０を用いて、本実施の形態の主要な特徴部分である対物レンズアクチュエータ２９’の構成について、以下詳細に説明する。
【０１０５】
図７及び図８に示す対物レンズアクチュエータ２９’は、レンズホルダ２’、四つのフォーカシングコイル４ａ’〜４ｄ’、二つのトラッキングコイル５ａ、５ｂ、二つの端子板６、二つのマグネット８ａ’、８ｂ’、６本のサスペンションワイヤー９、固定部材１０、固定基板１１、及びヨークベース１２を備える。対物レンズアクチュエータ２９’は、対物レンズ１の位置調整が完了した状態で光学ベース３３（図１及び図２参照）に接着固定されている。
【０１０６】
ここで、図７乃至図１０において、ｘ軸は、対物レンズ１の中心を通り、スピンドルモータ４７のターンテーブル４７ａの外縁の接線方向に平行な軸であり、ｙ軸は、対物レンズ１の中心を通り、スピンドルモータ４７のターンテーブル４７ａの半径方向に平行な軸である。また、スピンドルモータ４７の回転中心は、ｙ軸上に位置しており、ターンテーブル４７ａは、時計回りである回転方向Ｒｍに回転駆動される。
【０１０７】
したがって、本実施の形態でも、図８に示すように、上面視において、ＢＤ２３（又はＤＶＤ２４又はＣＤ２５）は時計周りに回転し、対物レンズ１の中心を原点とし、ＢＤ２３の半径方向であるトラッキング方向をｙ軸とし、ＢＤ２３のトラックの接線方向をｘ軸とするｘｙ平面（ｘｙ座標系）において、ｙ軸はＢＤ２３の中心側を正方向とし、ｘ軸はｙ軸の正方向を時計回りに９０°回転した方向を正方向とし、ｘｙ平面をｘ軸及びｙ軸によって分割した４つの領域を反時計回りに第１象限、第２象限、第３象限及び第４象限として規定することができる。
【０１０８】
また、図７、図９及び図１０に示すｚ軸は、対物レンズ１の中心軸であり、ｘ軸、ｙ軸と相互に直交し、それぞれ３次元直交座標系を構成している。また、図７及び図１０に示すｒ方向は、ｘ軸周りの回転方向であるラジアルチルト方向である。
【０１０９】
レンズホルダ２’は、成形された樹脂から構成され、略直方体形状を有している。レンズホルダ２’の上面には、対物レンズ１が搭載されている。レンズホルダ２’におけるｘ軸に垂直な二つの側面には、フォーカシングコイル４ａ’〜４ｄ’と、トラッキングコイル５ａ、５ｂとが取り付けられており、ｙ軸に垂直な二つの側面にはそれぞれ端子板６が取り付けられている。
【０１１０】
次に、図９等を用いて、可動体７’の詳細構成を説明する。可動体７’は、対物レンズ１、レンズホルダ２’、四つのフォーカシングコイル４ａ’〜４ｄ’、二つのトラッキングコイル５ａ、５ｂ、及び二つの端子板６から構成されている。
【０１１１】
レンズホルダ２’は、ｚ軸を中心とする円形の開口Ａ１を有しており、この開口Ａ１から対物レンズ１に光ビームが入射する。したがって、対物レンズ１に入射する有効光ビーム径は、この開口Ａ１の径によって決定される。
【０１１２】
レンズホルダ２’の上側の平坦面Ｐ１のうち、上面視において、ｘ軸及びｙ軸からなるｘｙ平面の第２象限に位置する領域を中心に対物レンズ搭載部２ａが突出して設けられ、第４象限に位置する領域を中心に対物レンズ搭載部２ｂが突出して設けられている。対物レンズ１は、第１の固定部の一例である対物レンズ搭載部２ａ及び第２の固定部の一例である対物レンズ搭載部２ｂに固定され、対物レンズ搭載部２ａは、レンズホルダ２の平坦面Ｐ１のうち、少なくとも第２象限内に位置し、対物レンズ搭載部２ｂは、少なくとも第４象限内に位置している。
【０１１３】
本実施の形態でも、対物レンズ搭載部２ａの大部分（例えば、対物レンズ搭載部２ａ全体の７５％以上の部分）が第２象限に位置し、残りの一部（例えば、対物レンズ搭載部２ａ全体の２５％未満の部分）が第１象限に位置し、対物レンズ搭載部２ｂの大部分（例えば、対物レンズ搭載部２ｂ全体の７５％以上の部分）が第４象限に位置し、残りの一部（例えば、対物レンズ搭載部２ｂ全体の２５％未満の部分）が第３象限に位置している。
【０１１４】
対物レンズ搭載部２ａには、平坦面Ｐ１から上方へ約０．４ｍｍの離間距離を有する位置に対物レンズ載置面Ｐａが形成され、対物レンズ搭載部２ｂには、平坦面Ｐ１から上方へ約０．４ｍｍの離間距離を有する位置に対物レンズ載置面Ｐｂが形成されている。対物レンズ載置面Ｐａ、Ｐｂの縁には、ｚ軸を中心軸とする四つの円筒面Ｃａ、Ｃｂが立ち上がっている。
【０１１５】
対物レンズ１のコバ下面１ａが対物レンズ載置面Ｐａ、Ｐｂに載置されることにより、対物レンズ１のｚ軸方向の位置決めが行われ、四つの円筒面Ｃａ、Ｃｂに対物レンズ１の外径を沿わせることにより、対物レンズ１のｘ軸方向及びｙ軸方向の位置決めが行われる。なお、円筒面の数及び位置は、上記の例に特に限定されず、種々の変更が可能である。
【０１１６】
また、対物レンズ載置面Ｐａには、一部領域が開放された接着剤塗布部３ａが設けられ、対物レンズ載置面Ｐｂには、一部領域が開放された接着剤塗布部３ｂが設けられており、レンズホルダ２’に対して対物レンズ１が位置決めされた状態で、接着剤塗布部３ａ、３ｂに接着剤を注入して硬化させることにより、対物レンズ１がレンズホルダ２’に固着される。なお、接着剤塗布部の数及び位置は、上記の例に特に限定されず、種々の変更が可能である。
【０１１７】
上記のように、レンズホルダ２’に対物レンズ１が固定された結果、対物レンズ１のコバ下面１ａとレンズホルダ２’の上側の平坦面Ｐ１との間に二つの空隙Ｇａ、Ｇｂ（図９の破線で囲まれたハッチング領域）が形成される。ここで、図８に示すように、上面視において、空隙Ｇａは、ｘ軸及びｙ軸からなるｘｙ平面の第１象限に位置する領域を中心に形成され、空隙Ｇｂは、第３象限に位置する領域を中心に形成されている。すなわち、空隙Ｇａは、少なくとも第１象限内に位置し、空隙Ｇｂは、少なくとも第３象限内に位置している。
【０１１８】
さらに、レンズホルダ２’の上側の平坦面Ｐ１のうち、上面視において、ｘ軸及びｙ軸からなるｘｙ平面の第１象限に位置する領域にレンズプロテクタ１３ａが突出して設けられ、第３象限に位置する領域にレンズプロテクタ１３ｂが突出して設けられている。レンズプロテクタ１３ａ、１３ｂは、円柱形状を有する凸部であり、対物レンズ１と光ディスクとの接触を防止する。このため、レンズプロテクタ１３ａ、１３ｂの高さは、上面の端部が光ディスクに接触したとき、対物レンズ１が光ディスクに接触しない高さに設定されている。なお、レンズプロテクタの形状は、上記の例に特に限定されず、対物レンズ１と光ディスクとの接触を防止することができれば、他の形状を用いてもよい。
【０１１９】
ここで、レンズホルダ２’には、対物レンズ搭載部２ａ、２ｂが第２象限及び第４象限に位置する領域に配置されているので、可動体７’の慣性モーメントに対して対物レンズ搭載部２ａ、２ｂがアンバランスな配置となる。しかしながら、本実施の形態では、レンズプロテクタ１３ａ、１３ｂを第１象限及び第３象限に位置する領域に配置することにより、可動体７’の慣性モーメントのバランスを取っている。この結果、熱対策のために対物レンズ搭載部２ａ、２ｂをアンバランスな位置に配置しても、レンズプロテクタ１３ａ、１３ｂにより可動体７’の慣性モーメントのバランスを取ることができるので、可動体７’の不要なローリングを防止することができる。
【０１２０】
また、第１象限側の空隙Ｇａと第３象限側の空隙Ｇｂとは、対物レンズ１の下側の空間によって繋がっており、第１象限側の空隙Ｇａから第３象限側の空隙Ｇｂに至る通風路が、対物レンズ１の下側に形成されることとなる。このとき、図８に示すように、ＢＤ２３、ＤＶＤ２４及びＣＤ２５のうちのいずれかの光ディスクの時計回りの回転（回転方向Ｒｍの回転）によって、光ディスクの表面近傍に発生する渦巻き状の気流Ｆの流れが矢印方向に沿って構築されている。
【０１２１】
ここで、レンズプロテクタ１３ａが気流Ｆの上流側に位置するが、レンズプロテクタ１３ａの幅が空隙Ｇａの幅に対して十分に小さいため、渦巻き状の気流Ｆは、第１象限の領域を中心に構成された空隙Ｇａから第３象限の領域を中心に構成された空隙Ｇｂに向けて通風路を貫通するように通り抜ける。
【０１２２】
また、第１象限側の空隙Ｇａから進入した気流Ｆは、通風路内部では対物レンズ１の下側の凸面１ｂに沿ってレンズ周縁部に一端拡散した後（図８中の破線で示す経路）、第３象限側の空隙Ｇｂに向けて収束し、最終的に通風路の外部に排出される。
【０１２３】
フォーカシングコイル４ａ’〜４ｄ’は、矩形形状に巻回された扁平コイルである。ここで、図８に示すように、上面視において、フォーカシングコイル４ａ’は、レンズホルダ２’のｘ軸に対して垂直な一方の側面のうち、ｘ軸及びｙ軸からなるｘｙ平面の第１象限内に位置する領域に接着されて固定され、フォーカシングコイル４ｂ’は、レンズホルダ２’のｘ軸に対して垂直な他方の側面のうち、第２象限内に位置する領域に接着されて固定され、フォーカシングコイル４ｃ’は、レンズホルダ２のｘ軸に対して垂直な他方の側面のうち、第３象限内に位置する領域に接着されて固定され、フォーカシングコイル４ｄ’は、レンズホルダ２のｘ軸に対して垂直な一方の側面のうち、第４象限内に位置する領域に接着されて固定されている。
【０１２４】
したがって、フォーカシングコイル４ａ’とフォーカシングコイル４ｃ’とは、ｚ軸に対して互いに軸対称な位置関係となり、フォーカシングコイル４ｂ’とフォーカシングコイル４ｄ’とは、ｚ軸に対して互いに軸対称な位置関係となり、フォーカシングコイル４ａ’〜４ｄ’は、対物レンズ１の中心である原点が重心となるようにバランス良く配置されている。
【０１２５】
トラッキングコイル５ａ、５ｂは、矩形形状に巻回された扁平コイルである。上面視において、トラッキングコイル５ａは、レンズホルダ２のｘ軸に垂直な一方の側面の中心に接着されており、トラッキングコイル５ａの接着位置の中心がｘ軸上に位置するように配置されている。トラッキングコイル５ｂは、レンズホルダ２のｘ軸に垂直な他方の側面の中心に接着されており、トラッキングコイル５ｂの接着位置の中心がｘ軸上に位置するように配置されている。
【０１２６】
フォーカシングコイル４ａ’、４ｂ’と、フォーカシングコイル４ｃ’、４ｄ’とは、端子板６、サスペンションワイヤー９、及び固定基板１１を介して、それぞれ独立に駆動信号を供給される。
【０１２７】
トラッキングコイル５ａ及びトラッキングコイル５ｂは、端子板６を介して直列に結線された状態で、端子板６、サスペンションワイヤー９、及び固定基板１１を介して駆動信号を供給される。
【０１２８】
以上のように構成された可動体７’の重心は、上面視において、略ｚ軸上に位置している。
【０１２９】
図７及び図８において、固定部材１０及び固定基板１１は、それぞれヨークベース１２に固定されている。サスペンションワイヤー９は、光ディスクの情報記録面に対して垂直な方向であるフォーカシング方向と、光ディスクの半径方向であるトラッキング方向とに移動可能にレンズホルダ２を支持する支持機構の一例である。本実施の形態では、サスペンションワイヤー９は、例えば、６本の弾性金属線によって構成されており、基端側を固定基板１１に、先端側を端子板６にそれぞれ半田固定されている。結果として、可動体７’は、サスペンションワイヤー９によって、固定基板１１が固定されているヨークベース１２に対してフォーカシング方向（光ディスクの情報記録面に対して垂直な方向）であるｚ軸方向、トラッキング方向（光ディスクの半径方向）であるｘ軸方向及びラジアルチルト方向ｒに移動可能に支持されている。
【０１３０】
また、固定部材１０には、サスペンションワイヤー９を挿通するための開口が設けられており、この開口に流動性の制振剤を注入後、ゲル状に硬化することにより、サスペンションワイヤー９の共振を減衰することができる。
【０１３１】
対物レンズアクチュエータ２９’は、光学ベース３３に構成された光学系に対する対物レンズ１のｘ方向、ｙ方向、及びｚ方向の位置並びに傾斜角を調整された状態で、ヨークベース１２の固定部１２ａ、１２ｂ、１２ｃ、１２ｄの各部を光学ベース３３に接着固定されている。
【０１３２】
図７、図８、及び図１０において、二つのマグネット８ａ’、８ｂ’は、ｘ軸と略一致する位置を境界線とする二つの領域にｘ軸に平行な方向でかつ逆向きに磁化されている。二つのマグネット８ａ’、８ｂ’は、ヨークベース１２に固定されていて、ｙ軸を対称軸として線対称となる位置に配置されている。
【０１３３】
具体的には、マグネット８ａ’は、上面視において、ｘ軸上に着磁境界面Ｍａを有し、トラッキングコイル５ａの対物レンズ１の光軸と略平行な二つの辺Ｓ５ａ、Ｓ５ａ’に逆向きの磁界を付与し、かつフォーカシングコイル４ａ’のｙ軸と略平行な二つの辺のうち光ディスクに近い上側の辺Ｓ４ａ’に磁界を付与するとともに、フォーカシングコイル４ｄ’のｙ軸と略平行な二つの辺のうち光ディスクに近い上側の辺Ｓ４ｄ’に磁界を付与する。マグネット８ｂ’は、上面視において、ｘ軸上に着磁境界面Ｍｂを有し、トラッキングコイル５ｂの対物レンズ１の光軸と略平行な二つの辺Ｓ５ｂ、Ｓ５ｂ’に逆向きの磁界を付与し、かつフォーカシングコイル４ｂ’のｙ軸と略平行な二つの辺のうち光ディスクに近い上側の辺Ｓ４ｂ’に磁界を付与するとともに、フォーカシングコイル４ｃ’のｙ軸と略平行な二つの辺のうち光ディスクに近い上側の辺Ｓ４ｃ’に磁界を付与する。
【０１３４】
上記の構成により、フォーカシングコイル４ａ’〜４ｄ’を対物レンズ１に対してレンズホルダ２の下方に取り付けることができるので、発熱源となるフォーカシングコイル４ａ’〜４ｄ’を対物レンズ１から離間することができ、対物レンズ１の温度上昇を抑制することができる。
【０１３５】
次に、図１０を用いて、マグネット８ａ、８ｂと、フォーカシングコイル４ａ’〜４ｄ’及びトラッキングコイル５ａ、５ｂとの関係について説明する。
【０１３６】
フォーカシングコイル４ａ’〜４ｄ’の上側のｙ軸に平行な辺Ｓ４ａ’〜Ｓ４ｄ’は、マグネット８ａ’、８ｂ’の磁極面にそれぞれ対向する位置に配置されている。したがって、フォーカシングコイル４ａ’、４ｂ’と、フォーカシングコイル４ｃ’、４ｄ’とにそれぞれ独立に駆動信号が供給され、同じ大きさの電流がそれぞれ矢印Ａａ’〜Ａｄ’の向きに流されたとき、フォーカシングコイル４ａ’〜４ｄ’には、同じ大きさでｚ軸の正方向（図中の上側）の駆動力が発生し、対物レンズ１は、ｚ軸の正方向に駆動される。一方、それぞれ矢印Ａａ’〜Ａｄ’と逆向きの電流が流されたときは、対物レンズ１は、ｚ軸の負方向（図中の上側）に駆動される。また、フォーカシングコイル４ａ’、４ｂ’と、フォーカシングコイル４ｃ’、４ｄ’とのそれぞれに流される電流の大きさを調整することにより、ラジアルチルト方向ｒのモーメント力が発生し、対物レンズ１が傾斜するので、チルト方向の駆動も行うことができる。
【０１３７】
トラッキングコイル５ａ、５ｂのｚ軸に平行な二つの辺Ｓ５ａ、Ｓ５ａ’、Ｓ５ｂ、Ｓ５ｂ’は、マグネット８ａ’、８ｂ’の着磁境界面Ｍａ、Ｍｂを境界としてそれぞれ異なる磁極面に対向する位置に配置されている。したがって、トラッキングコイル５ａ、５ｂが直列に結線され、トラッキングコイル５ａ、５ｂに矢印Ａｃ、Ａｄの向きの電流が流されたとき、トラッキングコイル５ａ、５ｂにはｙ軸の正方向（図中の左側）の駆動力が発生し、対物レンズ１は、ｙ軸の正方向に駆動される。一方、それぞれ矢印Ａｃ、Ａｄと逆向きの電流が流されたときは、対物レンズ１は、ｙ軸の負方向（図中の右側）に駆動される。
【０１３８】
次に、空隙Ｇａ、Ｇｂの位置及び大きさについて検討を行った結果について説明する。図１１は、図７に示す対物レンズアクチュエータの可動体に設けられた空隙の位置及び大きさを説明するための上面図であり、図１２は、図１１に示す可動体における気流の流れをシミュレーションした結果を示す模式図であり、図１３は、図１１のＸＩＩＩ−ＸＩＩＩ線による可動体の断面図である。
【０１３９】
図１１に示すように、上面視において、対物レンズ１とレンズホルダ２’との間に形成される空隙Ｇａの中心は、ｘ軸の正方向の部分を反時計回りに３０°回転させた直線Ｌａ上に位置することが好ましく、空隙Ｇｂの中心は、ｘ軸の正方向の部分を反時計回りに２１０°回転させた直線Ｌｂ上に位置することが好ましい。光ディスクの回転数及び光ディスクの半径方向の対物レンズ１の位置等によりレンズホルダ２’に対する気流Ｆが流れる方向はある程度変化するが、上記の位置に空隙Ｇａ、Ｇｂの中心を配置することにより、気流Ｆが、ｘ軸の正方向の部分を反時計回りに３０°回転させた直線を中心として流入し、第１象限から第３象限へ流れていくので、空隙Ｇａから空隙Ｇｂへスムーズに流れ、対物レンズ１を効率的に冷却することができる。
【０１４０】
また、上面視において、空隙Ｇａの幅±θ°は、±３０°以上±６０°以下であることが好ましく、±４０°以上±５０°以下であることがより好ましく、空隙Ｇｂの幅±θ°は、±３０°以上±６０°以下であることが好ましく、±４０°以上±５０°以下であることがより好ましい。±３０°未満の範囲では、対物レンズ１を十分に冷却することができず、±６０°を超える範囲では、対物レンズ１をレンズホルダ２’に高精度に固定することが困難となる。一方、±３０°以上±６０°以下の範囲では、対物レンズ１を十分に冷却することができるとともに、対物レンズ１をレンズホルダ２’に高精度に固定することができる。
【０１４１】
例えば、本実施の形態では、空隙Ｇａ、Ｇｂの幅±θ°を±４５°に設定している。この場合の気流Ｆの流れをシミュレーションした結果を図１２に示す。図１２では、気流Ｆの流れを複数の矢印で示しており、気流Ｆは、矢印の方向に従い、レンズホルダ２’の上面を流れる。
【０１４２】
具体的には、気流Ｆは、レンズホルダ２’の右上方から流入し、対物レンズ搭載部２ａとレンズプロテクタ１３ａとの間と、レンズプロテクタ１３ａと対物レンズ搭載部２ｂとの間を流れ、破線で示す空隙Ｇａへ流入する。次に、気流Ｆは、対物レンズ搭載部２ａと対物レンズ１の下側の凸面１ｂとの間の流路Ｆａ（図１３参照）と、対物レンズ１の下側の凸面１ｂと対物レンズ搭載部２ｂとの間の流路Ｆｂ（図１３参照）とを流れ、破線で示す空隙Ｇｂで一旦合流する。その後、気流Ｆは、対物レンズ搭載部２ａとレンズプロテクタ１３ｂとの間と、レンズプロテクタ１３ｂと対物レンズ搭載部２ｂとの間を流れ、最終的に、レンズホルダ２’の外部へ排出される。このような気流Ｆの流れにより、対物レンズ１を効率よく冷却することができる。
【０１４３】
また、気流Ｆは、レンズホルダの２’の一方の側面に固定されたフォーカシングコイル４ａ’、トラッキングコイル５ａ及びフォーカシングコイル４ｄ’の側方を流れるとともに、レンズホルダの２’の他方の側面に固定されたフォーカシングコイル４ｂ’、トラッキングコイル５ｂ及びフォーカシングコイル４ｃ’の側方を流れている。このような気流Ｆの流れにより、発熱源となるフォーカシングコイル４ａ’〜４ｄ’及びトラッキングコイル５ａ、５ｂを効率よく冷却することができる。
【０１４４】
上記の構成により、本実施の形態でも、レンズホルダ２’に対物レンズ１が固定された結果、レンズホルダ２’の上側の平坦面Ｐ１上のｘ軸及びｙ軸からなるｘｙ平面の略第１象限及び略第３象限に相当する領域において、対物レンズ１のコバ下面１ａとレンズホルダ２の平坦面Ｐ１との間に、二つの空隙Ｇａ、Ｇｂが構成される。第１象限側の空隙Ｇａと、第３象限側の空隙Ｇｂとは、対物レンズ１の下側の空間によって繋がっており、第１象限側の空隙Ｇａから第３象限側の空隙Ｇｂに至る通風路が、対物レンズ１の下側に形成されることとなる。
【０１４５】
ここで、ＢＤ２３、ＤＶＤ２４及びＣＤ２５のうちのいずれかの光ディスクの時計回りの回転によって、光ディスクの表面近傍に発生する渦巻き状の気流Ｆの流れが矢印方向に沿って構築されているため、渦巻き状の気流Ｆは、略第１象限の領域に構成された空隙Ｇａから略第３象限の領域に構成された空隙Ｇｂに向けて貫通するように通風路を通り抜け、対物レンズ１の下側の表面を効率良く放熱することが可能となる。
【０１４６】
また、第１象限側の空隙Ｇａから進入した気流Ｆは、通風路内部では対物レンズ１の下側の凸面１ｂに沿ってレンズ周縁部に一端拡散した後、第３象限側の空隙Ｇｂに向けて収束し、通風路外部に排出される。したがって、特に、温度上昇が大きくなる対物レンズ１の周縁部の放熱に適した気流Ｆの流れが発生し、対物レンズ１の熱量を全体的に効率良く放熱し、この放熱の結果、対物レンズ１全体の温度を均一化することが可能となる。
【０１４７】
したがって、フォーカシングコイル４ａ’〜４ｄ’及びトラッキングコイル５ａ、５ｂで発生する熱量が、接着剤塗布部３ａ、３ｂの接着剤を介して流入しても、対物レンズ１の温度上昇を効率よく抑制し、かつ均一化することが可能となる。この結果、対物レンズ１がＢＤを含むＤＶＤ又はＣＤとの互換機能を有する樹脂対物レンズであっても、良好な集光特性を得て、安定な高密度記録再生の実現とコストダウンを可能とする光ピックアップ装置及び光ディスク装置を実現することができる。
【０１４８】
さらに、フォーカシングコイル４ａ’〜４ｄ’は、レンズホルダ２’のｘ軸に垂直な両端面で、ｘ軸及びｙ軸からなるｘｙ平面の略第１象限乃至略第４象限に相当する領域にｙ軸に対して互いに線対称な位置関係でそれぞれ配置接着されている。したがって、発熱量が大きくなり易いフォーカシングコイル４ａ’〜４ｄ’のうち二つのフォーカシングコイル４ａ’、４ｃ’を気流Ｆの流れに沿った配置とすることにより、発熱源となる二つのフォーカシングコイル４ａ’、４ｃ’を直接冷却することができる。加えて、レンズホルダ２’のフォーカシングコイル４ａ’、４ｃ’から対物レンズ１に至る熱伝導経路をも冷却することができるので、対物レンズ１への熱量の流入を効率良く抑制することが可能となる。
【０１４９】
また、トラッキングコイル５ａ、５ｂは、レンズホルダ２’のｘ軸に垂直な両端面で、ｘ軸及びｙ軸からなるｘｙ平面においてｘ軸上に相当する領域にそれぞれ配置接着されている。その結果、フォーカシングコイル４ａ’、４ｄ’とトラッキングコイル５ａとの組と、フォーカシングコイル４ｂ’、４ｃ’とトラッキングコイル５ｂとの組とがそれぞれ近接して配置される。したがって、発熱源を集中化した状態で、それぞれの組を気流Ｆの流れに沿った配置とすることにより、発熱源となるトラッキングコイル５ａ、５ｂ及びフォーカシングコイル４ａ’〜４ｄ’を直接冷却することができる。さらに、レンズホルダ２’の集中化された発熱源から対物レンズ１に至る熱伝導経路をも冷却することができるので、対物レンズ１への熱量の流入を効率良く抑制することが可能となる。
【０１５０】
なお、光学ベース３３の下面から光ディスクの下面までの寸法が１１ｍｍ以下である薄型の光ピックアップ装置に対して、本実施の形態の構成を適用することにより、より熱容量が小さいレンズホルダ２’であっても、対物レンズ１への熱量の流入を効率良く抑制することが可能となり、良好な集光特性を得て、安定した高密度記録再生を実現する薄型のピックアップ装置を実現することが可能となる。
【０１５１】
（実施の形態３）
上記の実施の形態１又は実施の形態２の光ピックアップ装置を用いた光情報装置の一例である光ディスク装置の実施の形態を図１４に示す。図１４は、本発明の実施の形態３における光ディスク装置の概略構成を示す模式図である。図１４において、光ディスク装置６０７は、駆動装置６０１、光ピックアップ装置６０２、電気回路６０３、モータ６０４、ターンテーブル６０５及びクランパー６０６を備える。
【０１５２】
図１４において、光ディスク２００は、ターンテーブル６０５に搭載されて、クランパー６０６により保持された状態で、モータ６０４によって回転される。実施の形態１又は２に示した光ピックアップ装置６０２は、光ディスク２００の所望の情報の存在するトラック位置まで、駆動装置６０１によって移送される。
【０１５３】
電気回路６０３は、制御部の一例であり、光ピックアップ装置６０２から得られる信号に基づいて、光ピックアップ装置６０２とモータ６０４とを制御する。光ピックアップ装置６０２は、光ディスク２００との位置関係に対応して、フォーカシング信号、トラッキング信号、及びＲＦ信号を電気回路６０３へ送る。電気回路６０３は、これらの信号に対応して、光ピックアップ装置６０２へ対物レンズアクチュエータを駆動させるための信号を送る。この信号によって、光ピックアップ装置６０２は、光ディスク２００に対してフォーカシング制御、トラッキング制御、及びチルト制御を行い、情報の読み出し、書き込み又は消去を行う。
【０１５４】
以上の説明において、搭載する光ディスク２００は、実施の形態１又は２で述べたＢＤ２３又はＤＶＤ２４又はＣＤ２５の光ディスクであって、光ピックアップ装置６０２は、実施の形態１又は２で述べた３種類の波長の光ビームを１つの対物レンズ１によって集光し、各波長に対応した光ディスクに対して情報の記録再生を行う３波長互換対物レンズを用いた光ピックアップ装置である。
【０１５５】
本実施の形態の光ディスク装置６０７は、フォーカシングコイル４ａ、４ｂ又は４ａ’〜４ｄ’及びトラッキングコイル５ａ、５ｂで発生する熱量が接着剤塗布部３ａ、３ｂから流入しても、対物レンズ１の温度上昇を効率よく抑制し、かつ均一化することが可能である。この結果、対物レンズ１が樹脂対物レンズであっても、良好な集光特性を得て、安定な高密度記録再生の実現とコストダウンを可能とする光ディスク装置を実現することができる。
【０１５６】
（実施の形態４）
本実施の形態は、上記の実施の形態３に係る光ディスク装置６０７を具備した情報処理装置の一例であるコンピュータである。図１５は、本発明の実施の形態４におけるコンピュータの全体構成を示す概略斜視図である。
【０１５７】
図１５に示したコンピュータ６０９は、実施の形態３に係る光ディスク装置６０７と、情報の入力を行うためのキーボード６１１及びマウス６１２などの入力装置と、入力装置から入力された情報や、光ディスク装置６０７から読み出した情報などに基づいて演算を行う中央演算装置（ＣＰＵ）などから構成される演算装置６０８と、演算装置６０８によって演算された結果の情報を表示するブラウン管や液晶表示装置などから構成される出力装置６１０とを備えている。演算装置６０８は、光ディスク装置６０７に記録する情報及び／又は光ディスク装置６０７から再生された情報を処理する情報処理部の一例である。なお、出力装置６１０として、演算装置６０８によって演算された結果などの情報を印刷するプリンタを用いてもよい。
【０１５８】
本実施の形態に係るコンピュータ６０９は、実施の形態３に係る光ディスク装置６０７を具備しており、樹脂対物レンズであっても、対物レンズ１の温度上昇を効率よく抑制し、かつ均一化することが可能である。この結果、本実施の形態は、良好な集光特性を得て、安定な高密度記録再生の実現とコストダウンとを可能とするので、広い用途に使用できる。
【０１５９】
また、コンピュータ６０９は、光ディスク装置６０７に記録する情報を取り込んだり、光ディスク装置６０７によって読み出した情報を外部に出力する有線又は無線の入出力端子を搭載してもよい。これによって、ネットワーク、すなわち、複数の機器、例えば、コンピュータ、電話器、テレビチューナ等と情報を送受信し、これら複数の機器から共有の情報サーバ（光ディスクサーバ）として利用することが可能となる。この場合、異なる種類の光ディスクを安定に記録又は再生できるので、広い用途に使用できる効果を有するものとなる。
【０１６０】
さらに、複数の光ディスクを光ディスク装置６０７に出し入れするチェンジャーを具備することにより、多くの情報を記録及び蓄積できる効果を得ることができる。
【０１６１】
（実施の形態５）
本実施の形態は、上記の実施の形態３に係る光ディスク装置６０７を具備した情報処理装置の一例である光ディスクプレーヤの実施の形態である。図１６は、本発明の実施の形態５における光ディスクプレーヤの全体構成を示す概略斜視図である。
【０１６２】
図１６において、光ディスクプレーヤ１８０は、実施の形態３に係る光ディスク装置６０７と、光ディスク装置６０７から得られる情報信号を画像信号に変換するデコーダ１８１とを備える。デコーダ１８１は、光ディスク装置６０７に記録する情報及び／又は光ディスク装置６０７から再生された情報を処理する情報処理部の一例である。
【０１６３】
また、本構成は、ＧＰＳ等の位置センサ及び中央演算装置（ＣＰＵ）を加えることにより、カーナビゲーションシステムとしても利用できる。また、液晶モニターなどの表示装置１８２を加えた構成としてもよい。この場合、表示装置１８２は、液晶表示装置などから構成され、デコーダ１８１によって変換された画像信号を表示する。
【０１６４】
上記の構成により、光ディスクプレーヤ１８０は、実施の形態３に係る光ディスク装置６０７を具備しており、樹脂対物レンズであっても、対物レンズ１の温度上昇を効率よく抑制し、かつ均一化することが可能である。この結果、本実施の形態は、良好な集光特性を得て、安定な高密度記録再生の実現とコストダウンとを可能とするので、広い用途に使用できる。
【０１６５】
（実施の形態６）
本実施の形態は、上記の実施の形態３に係る光ディスク装置６０７を具備した情報処理装置の一例である光ディスクレコーダの実施の形態である。図１７は、本発明の実施の形態６における光ディスクレコーダの全体構成を示す概略斜視図である。
【０１６６】
図１７に示した光ディスクレコーダ６１５は、実施の形態３に係る光ディスク装置６０７と、画像信号を光ディスク装置６０７によって、画像情報を、光ディスクに記録するための情報信号に変換する記録信号処理回路６１３とを備えている。記録信号処理回路６１３は、光ディスク装置６０７に記録する情報を処理する情報処理部の一例である。
【０１６７】
また、光ディスクレコーダ６１５は、光ディスク装置６０７から得られる情報信号を、画像信号に変換する再生信号処理回路６１４も有することが望ましい。再生信号処理回路６１４は、光ディスク装置６０７から再生された情報を処理する情報処理部の一例である。この構成によれば、既に記録した部分を再生することも可能となる。さらに、光ディスクレコーダ６１５は、情報を表示するブラウン管や液晶表示装置などの出力装置６１０を備えてもよい。
【０１６８】
上記の構成により、光ディスクレコーダ６１５は、実施の形態３に係る光ディスク装置６０７を具備しており、樹脂対物レンズであっても、対物レンズ１の温度上昇を効率よく抑制し、かつ均一化することが可能である。この結果、本実施の形態は、良好な集光特性を得て、安定な高密度記録再生の実現とコストダウンとを可能とするので、広い用途に使用できる。
【０１６９】
上記の各実施の形態から本発明について要約すると、以下のようになる。即ち、本発明に係る光ピックアップ装置は、所定の波長の光ビームを出射する光源と、前記光源からの光ビームを集光して円盤状記録媒体に照射する一つの対物レンズと、前記対物レンズを駆動する対物レンズアクチュエータと、前記円盤状記録媒体の記録面により反射された光ビームを前記対物レンズを介して受光して電気信号に変換する光検出器と、前記光源、前記対物レンズアクチュエータ及び前記光検出器を保持する光学ベースとを備え、前記対物レンズアクチュエータは、前記対物レンズを保持するレンズホルダと、前記円盤状記録媒体に対して垂直な方向であるフォーカシング方向と、前記円盤状記録媒体の半径方向であるトラッキング方向とに移動可能に前記レンズホルダを支持する支持機構と、前記レンズホルダに固定され、前記レンズホルダを前記フォーカシング方向に駆動するフォーカシングコイルと、前記レンズホルダに固定され、前記レンズホルダを前記トラッキング方向に駆動するトラッキングコイルと、前記支持機構の一端を保持するアクチュエータベースと、前記アクチュエータベースに保持され、前記フォーカシングコイル及び／又は前記トラッキングコイルに対向する位置に配置されて前記フォーカシングコイル及び／又は前記トラッキングコイルに磁界を付与するマグネットとを備え、前記レンズホルダと前記対物レンズとの間に第１の空隙及び第２の空隙が形成され、前記円盤状記録媒体は時計周りに回転し、前記対物レンズの中心を原点とし、前記トラッキング方向をｙ軸とし、前記円盤状記録媒体のトラックの接線方向をｘ軸とするｘｙ平面において、前記ｙ軸は前記円盤状記録媒体の中心側を正方向とし、前記ｘ軸は前記ｙ軸の正方向を時計回りに９０°回転した方向を正方向とし、前記ｘｙ平面を前記ｘ軸及び前記ｙ軸によって分割した４つの領域を反時計回りに第１象限、第２象限、第３象限及び第４象限としたとき、前記第１の空隙は、少なくとも前記第１象限内に位置し、前記第２の空隙は、少なくとも前記第３象限内に位置する。
【０１７０】
この光ピックアップ装置においては、レンズホルダと対物レンズとの間に形成された第１の空隙が、対物レンズの中心を原点とし、トラッキング方向をｙ軸とし、円盤状記録媒体のトラックの接線方向をｘ軸とするｘｙ平面の第１象限に位置し、第２の空隙が、第３象限に位置している。ここで、上面から見て、円盤状記録媒体が時計周りに回転しているので、この回転によって円盤状記録媒体の表面近傍には渦巻き状の気流が発生し、対物レンズの周辺では、第１象限から第３象限へ向かう気流が発生する。したがって、この気流が第１象限に設けられた第１の空隙から第３象限に設けられた第２の空隙に向けて貫通するように通り抜け、対物レンズの下側の表面全体から効率良く放熱することが可能となる。
【０１７１】
この結果、フォーカシングコイル及び／又はトラッキングコイルで発生する熱量がレンズホルダと対物レンズとの接着部から流入しても、対物レンズの温度分布の均一化に加えて温度上昇の量を抑制することが可能となり、複数種類の円盤状記録媒体、例えば、ＢＤと、ＤＶＤ（及び／又はＣＤ）との互換機能を有する対物レンズであっても、良好な集光特性を得て安定な高密度記録再生を実現することができるとともに、装置のコストダウンを可能とし、さらに、装置の小型化及び薄型化を達成することができる。
【０１７２】
前記第１の空隙は、前記ｘ軸の正方向の部分を反時計回りに３０°回転させた直線を中心として±３０°以上±６０°以下の範囲内に位置し、前記第２の空隙は、前記ｘ軸の正方向の部分を反時計回りに２１０°回転させた直線を中心として±３０°以上±６０°以下の範囲内に位置することが好ましい。
【０１７３】
この場合、円盤状記録媒体の回転による気流が、ｘ軸の正方向の部分を反時計回りに３０°回転させた直線を略中心として流入し、第１象限から第３象限へ流れていくので、この気流が、ｘ軸の正方向の部分を反時計回りに３０°回転させた直線が中心となるように配置された第１の空隙からｘ軸の正方向の部分を反時計回りに２１０°回転させた直線が中心となるように配置された第２の空隙に向けてスムーズに通り抜け、対物レンズを効率的に冷却することができるとともに、第１の空隙及び第２の空隙の範囲が±３０°以上±６０°以下であるので、対物レンズを十分に冷却することができるとともに、対物レンズをレンズホルダに高精度に固定することができる。
【０１７４】
前記対物レンズは、前記レンズホルダの第１の固定部及び第２の固定部に固定され、前記第１の固定部は、少なくとも前記第２象限内に位置し、前記第２の固定部は、少なくとも前記第４象限内に位置することが好ましい。
【０１７５】
この場合、対物レンズを効率よく十分に冷却しながら、対物レンズをレンズホルダに高精度に固定することができる。
【０１７６】
前記レンズホルダは、前記対物レンズと前記円盤状記録媒体との接触を防止する第１のレンズプロテクタ及び第２のレンズプロテクタを有し、前記第１のレンズプロテクタは、前記第１象限内に位置し、前記第２のレンズプロテクタは、前記第３象限内に位置することが好ましい。
【０１７７】
この場合、第１の固定部を第２象限に配置し、第２の固定部を第４象限に配置しても、第１及び第２のレンズプロテクタにより可動体の慣性モーメントのバランスを取ることができるので、可動体の不要なローリングを防止することができる。
【０１７８】
前記トラッキングコイルは、前記レンズホルダの前記ｘ軸に垂直な一方の側面の中心に固定される第１のトラッキングコイルと、前記レンズホルダの前記ｘ軸に垂直な他方の側面の中心に固定される第２のトラッキングコイルとを含むことが好ましい。
【０１７９】
この場合、円盤状記録媒体の回転による気流によって、第１及び第２のトラッキングコイルから発生する熱を効率よく外部へ放出することができる。
【０１８０】
前記フォーカシングコイルは、前記レンズホルダの前記ｘ軸に垂直な一方の側面のうち前記第１象限内に位置する部分に固定される第１のフォーカシングコイルと、前記レンズホルダの前記ｘ軸に垂直な他方の側面のうち前記第３象限内に位置する部分に固定される第２のフォーカシングコイルとを含むことが好ましい。
【０１８１】
この場合、第１のフォーカシングコイルと第１のトラッキングコイルとの組、第２のフォーカシングコイルと第２のトラッキングコイルとの組がそれぞれ近接して配置されるので、発熱源を集中化した状態で、それぞれの組を気流の流れに沿った配置とすることにより、発熱源となる第1及び第２のフォーカシングコイル及び第1及び第２のトラッキングコイルを直接冷却することができる。また、レンズホルダの集中化された発熱源から対物レンズに至る熱伝導経路をも冷却することができるので、対物レンズへの熱量の流入を効率良く抑制することが可能となる。
【０１８２】
前記マグネットは、前記ｘ軸上に着磁境界面を有し、前記第１のトラッキングコイルの前記対物レンズの光軸と略平行な二つの辺に逆向きの磁界を付与し、かつ前記第１のフォーカシングコイルの前記ｙ軸と略平行な二つの辺のうち前記円盤状記録媒体に近い辺に磁界を付与する第１のマグネットと、前記ｘ軸上に着磁境界面を有し、前記第２のトラッキングコイルの前記対物レンズの光軸と略平行な二つの辺に逆向きの磁界を付与し、かつ前記第２のフォーカシングコイルの前記ｙ軸と略平行な二つの辺のうち前記円盤状記録媒体に近い辺に磁界を付与する第２のマグネットとを含むことが好ましい。
【０１８３】
この場合、第１及び第２のフォーカシングコイルと第１及び第２のトラッキングコイルとが近接して配置され、駆動源が集中化されているので、第１及び第２のマグネットのｙ軸方向の寸法を小さくすることができ、第１及び第２のマグネットの容積を縮小して光ピックアップ装置のコストを低減することが可能となる。また、第１及び第２のフォーカシングコイルが対物レンズに対して下方に配置されるので、発熱源となる第1及び第２のフォーカシングコイルを対物レンズから離間することができ、対物レンズの温度上昇を抑制することができる。
【０１８４】
前記フォーカシングコイルは、前記レンズホルダの前記ｘ軸に垂直な一方の側面のうち前記第１象限内に位置する部分に固定される第１のフォーカシングコイルと、前記レンズホルダの前記ｘ軸に垂直な他方の側面のうち前記第２象限内に位置する部分に固定される第２のフォーカシングコイルと、前記レンズホルダの前記他方の側面のうち前記第３象限内に位置する部分に固定される第３のフォーカシングコイルと、前記レンズホルダの前記一方の側面のうち前記第４象限に位置する部分に固定される第４のフォーカシングコイルとを含むことが好ましい。
【０１８５】
この場合、第１乃至第４のフォーカシングコイルを対物レンズの中心が重心となるようにバランス良く配置することができるとともに、第１及び第４のフォーカシングコイルと第１のトラッキングコイルとの組、第２及び第３のフォーカシングコイルと第２のトラッキングコイルとの組がそれぞれ近接して配置されるので、発熱源を集中化した状態で、それぞれの組を気流の流れに沿った配置とすることにより、発熱源となる第1乃至第４のフォーカシングコイル及び第1及び第２のトラッキングコイルを直接冷却することができる。また、レンズホルダの集中化された発熱源から対物レンズに至る熱伝導経路をも冷却することができるので、対物レンズへの熱量の流入を効率良く抑制することが可能となる。
【０１８６】
前記マグネットは、前記ｘ軸上に着磁境界線を有し、前記第１のトラッキングコイルの前記対物レンズの光軸と略平行な二つの辺に逆向きの磁界を付与し、かつ前記第１のフォーカシングコイルの前記ｙ軸と略平行な二つの辺のうち前記円盤状記録媒体に近い辺及び前記第４のフォーカシングコイルの前記ｙ軸と略平行な二つの辺のうち前記円盤状記録媒体に近い辺に磁界を付与する第１のマグネットと、前記ｘ軸上に着磁境界線を有し、前記第２のトラッキングコイルの前記対物レンズの光軸と略平行な二つの辺に逆向きの磁界を付与し、かつ前記第２のフォーカシングコイルの前記ｙ軸と略平行な二つの辺のうち前記円盤状記録媒体に近い辺及び前記第３のフォーカシングコイルの前記ｙ軸と略平行な二つの辺のうち前記円盤状記録媒体に近い辺に磁界を付与する第２のマグネットとを含むことが好ましい。
【０１８７】
この場合、第１乃至第４のフォーカシングコイルが対物レンズに対して下方に配置されるので、発熱源となる第1乃至第４のフォーカシングコイルを対物レンズから離間することができ、対物レンズの温度上昇を抑制することができる。また、第１乃至第４のフォーカシングコイルにより大きな駆動力を発生することができるので、高精度のフォーカシングサーボを実現することができる。
【０１８８】
前記対物レンズは、樹脂成形によって形成される樹脂レンズを含むことが好ましい。
【０１８９】
この場合、対物レンズとして、複数種類の円盤状記録媒体、例えば、ＢＤと、ＤＶＤ（及び／又はＣＤ）との互換機能を有する樹脂レンズを用いても、良好な集光特性を得て安定な高密度記録再生を実現することができるとともに、装置のコストダウンを可能とし、さらに、装置の小型化及び薄型化を達成することができる。
【０１９０】
前記対物レンズは、少なくとも略４０５ｎｍの波長を含む複数の波長に対応した複数波長互換対物レンズであることが好ましい。
【０１９１】
この場合、対物レンズとして、ＢＤと、他の円盤状記録媒体との互換機能を有する複数波長互換対物レンズを用いても、良好な集光特性を得て安定な高密度記録再生を実現することができるとともに、装置のコストダウンを可能とし、さらに、装置の小型化及び薄型化を達成することができる。
【０１９２】
前記複数波長互換対物レンズは、略４０５ｎｍの波長に加えて、略６６０ｎｍの波長及び略７８０ｎｍの波長の３種類の波長に対応した３波長互換対物レンズであることが好ましい。
【０１９３】
この場合、対物レンズとして、ＢＤと、ＤＶＤと、ＣＤとの互換機能を有する複数波長互換対物レンズを用いても、良好な集光特性を得て安定な高密度記録再生を実現することができるとともに、装置のコストダウンを可能とし、さらに、装置の小型化及び薄型化を達成することができる。
【０１９４】
前記光学ベースの下面から前記円盤状記録媒体までの寸法は、１１ｍｍ以下であることが好ましい。
【０１９５】
この場合、熱容量が小さいレンズホルダであっても、対物レンズへの熱量の流入を効率良く抑制することが可能となり、良好な集光特性を得て、安定した高密度記録再生を実現する薄型のピックアップ装置を実現することが可能となる。
【０１９６】
本発明に係る光情報装置は、上記の光ピックアップ装置と、前記円盤状記録媒体を回転するモータと、前記光ピックアップ装置から得られる信号に基づいて、前記モータ及び前記光ピックアップ装置を制御する制御部とを備える。
【０１９７】
この光情報装置においては、フォーカシングコイル及びトラッキングコイルで発生する熱が流入しても、対物レンズの温度上昇を効率よく抑制し、かつ均一化することができるので、対物レンズが樹脂対物レンズであっても、良好な集光特性を得て、安定な高密度記録再生の実現とコストダウンを可能とする光情報装置を実現することができる。
【０１９８】
本発明に係る情報処理装置は、上記の光情報装置と、前記光情報装置に記録する情報及び／又は前記光情報装置から再生された情報を処理する情報処理部とを備える。
【０１９９】
この情報処理装置においては、上記の光情報装置を具備しており、樹脂対物レンズであっても、対物レンズの温度上昇を効率よく抑制し、かつ均一化することができるので、良好な集光特性を得て、安定な高密度記録再生の実現とコストダウンとが可能となる。
【産業上の利用可能性】
【０２００】
本発明に係る光ピックアップ装置、光情報装置及び情報処理装置は、対応波長が異なる複数種類の光ディスクに高密度で安定した情報の記録及び／又は再生が可能になるので、この応用機器である大容量のコンピュータ用メモリ装置、サーバ、光ディスクプレーヤ及び光ディスクレコーダ等に利用することができる。
【図１】
2013046621.tif 000003
【図２】
2013046621.tif 000004
【図３】
2013046621.tif 000005
【図４】
2013046621.tif 000006
【図５】
2013046621.tif 000007
【図６】
2013046621.tif 000008
【図７】
2013046621.tif 000009
【図８】
2013046621.tif 000010
【図９】
2013046621.tif 000011
【図１０】
2013046621.tif 000012
【図１１】
2013046621.tif 000013
【図１２】
2013046621.tif 000014
【図１３】
2013046621.tif 000015
【図１４】
2013046621.tif 000016
【図１５】
2013046621.tif 000017
【図１６】
2013046621.tif 000018
【図１７】
2013046621.tif 000019
【図１８】
2013046621.tif 000020
【図１９】
2013046621.tif 000021
【国際調査報告】
2013046621.tif 000022
2013046621.tif 000023
2013046621.tif 000024
2013046621.tif 000025